(57)【要約】【課題】バイパス管を備え、騒音の発生を抑制した冷凍装置を提供する。【解決手段】空調システム１００は、レシーバ１３５と、第２配管Ｐ２と、第１バイパス管ＢＰ１と、を備える。レシーバ１３５には、高圧冷媒が存在する。第２配管Ｐ２は、低圧冷媒が流れる配管である。第１バイパス管ＢＰ１は、レシーバ１３５と第２配管Ｐ２とをバイパスする。第１バイパス管ＢＰ１は、レシーバ側端部２１と第２配管側端部２２とを含む。レシーバ側端部２１は、レシーバ１３５に接続される。第２配管側端部２２は、第２配管Ｐ２に接続される。第２配管側端部２２は、第２配管Ｐ２の第２湾曲部１３ｂ内部において冷媒が流れる主たる方向である第２方向Ｄｉ２に沿って延びる。【選択図】図２
2015055381.tif 000002
【特許請求の範囲】
【請求項１】
高圧冷媒が存在する高圧部（１３５、Ｐ５）と、
前記高圧冷媒よりも低圧の低圧冷媒が流れる配管である低圧配管（Ｐ２、Ｐ４、Ｐ７）と、
前記高圧部と前記低圧配管とをバイパスするバイパス管（ＢＰ１、ＢＰ２、ＢＰ３）と、
を備え、
前記バイパス管は、前記高圧部に接続される第１端部（２１、４１、６１）と、前記低圧配管に接続される第２端部（２２、４２、６２）と、を含み、
前記第２端部は、前記低圧配管内を流れる前記低圧冷媒が流れる方向（Ｄｉ２、Ｄｉ７、Ｄｉ１２）に沿って延びる、
冷凍装置（１００、１００ａ）。
【請求項２】
前記低圧配管は、
第１方向（Ｄｉ１、Ｄｉ６、Ｄｉ１１）に向かって延びる第１部（１１、３１、５１）と、
前記第１部と連通し、前記第１方向に交差する方向（Ｄｉ８、Ｄｉ１３）又は前記第１方向とは逆方向（Ｄｉ３）に沿って延びる第２部（１２、３２、５２）と、
前記第１部と前記第２部とを連結する湾曲部（１３、３３、５３）と、
を含み、
前記第２端部は、前記湾曲部に接続される、
請求項１に記載の冷凍装置（１００、１００ａ）。
【請求項３】
前記低圧冷媒を圧縮する圧縮機（１２６）をさらに備え、
前記低圧配管は、前記圧縮機と接続されて前記圧縮機に前記低圧冷媒を流入させる吸入配管（Ｐ４）である、
請求項１又は２に記載の冷凍装置（１００、１００ａ）。
【請求項４】
前記低圧冷媒を気液分離するアキュームレータ（１２４）をさらに備え、
前記低圧配管は、前記アキュームレータと接続され前記アキュームレータに前記低圧冷媒を流入させる入口配管（Ｐ２）である、
請求項１又は２に記載の冷凍装置（１００、１００ａ）。
【請求項５】
前記高圧冷媒を貯留するレシーバ（１３５）をさらに備え、
前記高圧部は、前記レシーバである、
請求項１から４のいずれか１項に記載の冷凍装置（１００、１００ａ）。
【請求項６】
前記バイパス管（ＢＰ２）は、
前記レシーバから流出する一部の冷媒を減圧する減圧部（１３８）と、
その内部において、前記減圧部によって減圧された前記冷媒が、前記レシーバから流出する他の冷媒と熱交換する熱交換部（１３７ｂ）と、
を前記第１端部と前記第２端部との間に含む、
請求項５に記載の冷凍装置（１００、１００ａ）。
【請求項７】
前記低圧冷媒を圧縮する圧縮機（１２６）をさらに備え、
前記高圧冷媒は、前記圧縮機によって圧縮されたガス冷媒であり、
前記高圧部は、前記圧縮機と接続されて前記圧縮機から吐出される前記高圧冷媒が内部を流れる吐出配管（Ｐ５）である、
請求項１又は２に記載の冷凍装置（１００ａ）。
【発明の詳細な説明】
【技術分野】
【０００１】
本発明は、冷媒をバイパスするバイパス管を備える冷凍装置に関する。
【背景技術】
【０００２】
従来、高圧部に存在する冷媒を低圧配管へバイパスするバイパス管を備えた冷凍装置がある。例えば特許文献１（特開２０１０−１２７５３１号公報）に開示される空調装置は、レシーバに存在するガス冷媒を圧縮機の吸入配管へパイパスするバイパス管を備えている。
【発明の概要】
【発明が解決しようとする課題】
【０００３】
しかし、特許文献１に示す空調装置では、バイパス先において冷媒が合流する時の衝撃に応じて、騒音を発生することが想定される。
【０００４】
そこで本発明の課題は、バイパス管を備えた冷凍装置において騒音の発生を抑制することである。
【課題を解決するための手段】
【０００５】
本発明の第１観点に係る冷凍装置は、高圧部と、低圧配管と、バイパス管と、を備える。高圧部には、高圧冷媒が存在する。低圧配管は、高圧冷媒よりも低圧の低圧冷媒が流れる配管である。バイパス管は、高圧部と低圧配管とをバイパスする。バイパス管は、第１端部と、第２端部と、を含む。第１端部は、高圧部に接続される。第２端部は、低圧配管に接続される。第２端部は、低圧配管内を流れる低圧冷媒が流れる方向に沿って延びる。
【０００６】
本発明の第１観点に係る冷凍装置では、低圧配管に接続されるバイパス管の第２端部は、低圧配管内を流れる低圧冷媒が流れる方向に沿って延びる。これにより、バイパス管によって高圧部に存在する冷媒を低圧配管にバイパスする場合に、低圧配管内を流れる低圧冷媒とバイパス管から流出する冷媒とが、合流地点において同一方向に沿って流れやすい。よって、合流する各冷媒が合流地点においてそれぞれ異なる方向に沿って流れる場合と比較して、冷媒が合流する際の衝撃が緩和される。したがって、騒音の発生が抑制される。
【０００７】
本発明の第２観点に係る冷凍装置は、第１観点に係る冷凍装置であって、低圧配管は、第１部と、第２部と、湾曲部と、を含む。第１部は、第１方向に向かって延びる。第２部は、第１部と連通する。第２部は、第１方向に交差する方向又は第１方向とは逆方向に沿って延びる。湾曲部は、第１部と第２部とを連結する。第２端部は、湾曲部に接続される。
【０００８】
本発明の第２観点に係る冷凍装置では、低圧配管に接続されるバイパス管の第２端部は、湾曲部に接続される。これにより、新たな部材等を用いることなく簡単な構成にして、低圧配管内を流れる低圧冷媒とバイパス管から流出する冷媒とが、合流地点において同一方向に沿って流れやすくなる。よって、低コストで騒音を抑制することが可能となる。
【０００９】
本発明の第３観点に係る冷凍装置は、第１観点又は第２観点に係る冷凍装置であって、圧縮機をさらに備える。圧縮機は、低圧冷媒を圧縮する。低圧配管は、圧縮機と接続されて圧縮機に低圧冷媒を流入させる吸入配管である。
【００１０】
本発明の第３観点に係る冷凍装置では、低圧配管は、圧縮機に低圧冷媒を流入させる吸入配管である。これにより、内部を流れる冷媒の流速が速い吸入配管へ冷媒をバイパスする場合でも、騒音を抑制することが可能となる。
【００１１】
本発明の第４観点に係る冷凍装置は、第１観点又は第２観点に係る冷凍装置であって、アキュームレータをさらに備える。アキュームレータは、低圧冷媒を気液分離する。低圧配管は、アキュームレータと接続されアキュームレータに低圧冷媒を流入させる入口配管である。
【００１２】
本発明の第４観点に係る冷凍装置では、低圧配管は、アキュームレータに低圧冷媒を流入させる入口配管である。これにより、内部を流れる冷媒の流速が速い入口配管へ冷媒をバイパスする場合でも、騒音を抑制することが可能となる。
【００１３】
本発明の第５観点に係る冷凍装置は、第１観点から第４観点のいずれかに係る冷凍装置であって、レシーバをさらに備える。レシーバは、高圧冷媒を貯留する。高圧部は、レシーバである。
【００１４】
本発明の第５観点に係る冷凍装置では、高圧部は、レシーバである。これにより、バイパス管を介してレシーバから低圧配管に冷媒をバイパスする場合においても、騒音を抑制することが可能となる。すなわち、バイパス管を介してレシーバから低圧配管に冷媒をバイパスする場合、バイパス管を流れる冷媒は主としてガス冷媒であってその流速が速いことが想定されるが、係る場合においても騒音を抑制することが可能となる。
【００１５】
本発明の第６観点に係る冷凍装置は、第５観点に係る冷凍装置であって、バイパス管は、減圧部と、熱交換部と、を第１端部と第２端部との間に含む。減圧部は、レシーバから流出する一部の液冷媒を減圧する。熱交換部の内部においては、減圧部によって減圧された冷媒が、レシーバから流出する他の冷媒と熱交換する。
【００１６】
本発明の第６観点に係る冷凍装置では、バイパス管は、レシーバから流出する一部の冷媒を減圧する減圧部と、減圧部によって減圧された冷媒がレシーバから流出する他の冷媒と熱交換する熱交換部と、を第１端部と第２端部との間に含む。これにより、減圧部及び熱交換部を途中に含むバイパス管を介してレシーバから低圧配管に冷媒をバイパスする場合においても、騒音を抑制することが可能となる。すなわち、減圧部及び熱交換部を途中に含むバイパス管を介してレシーバから低圧配管に冷媒をバイパスする場合、バイパス管を流れる冷媒は主としてガス冷媒であってその流速が速いことが想定されるが、係る場合においても騒音を抑制することが可能となる。
【００１７】
本発明の第７観点に係る冷凍装置は、第１観点又は第２観点に係る冷凍装置であって、圧縮機をさらに備える。圧縮機は、低圧冷媒を圧縮する。高圧冷媒は、圧縮機によって圧縮されたガス冷媒である。高圧部は、圧縮機と接続されて圧縮機から吐出される高圧冷媒が内部を流れる吐出配管である。
【００１８】
本発明の第７観点に係る冷凍装置では、高圧部は、圧縮機から吐出される高圧冷媒が内部を流れる吐出配管である。これにより、吐出配管を流れる高圧冷媒を低圧配管にバイパスする場合においても、騒音を抑制することが可能となる。すなわち、吐出配管を流れる高圧冷媒を低圧配管にバイパスする場合、バイパス管を流れる冷媒は主としてガス冷媒であってその流速が速いことが想定されるが、係る場合においても騒音を抑制することが可能となる。
【発明の効果】
【００１９】
本発明の第１観点に係る冷凍装置では、低圧配管内を流れる低圧冷媒とバイパス管から流出する冷媒とが、合流地点において同一方向に沿って流れやすくなり、騒音の発生が抑制される。
【００２０】
本発明の第２観点に係る冷凍装置では、低コストで騒音を抑制することが可能となる。
【００２１】
本発明の第３観点に係る冷凍装置では、吸入配管へ冷媒をバイパスする場合において、騒音を抑制することが可能となる。
【００２２】
本発明の第４観点に係る冷凍装置では、入口配管へ冷媒をバイパスする場合において、騒音を抑制することが可能となる。
【００２３】
本発明の第５観点に係る冷凍装置では、バイパス管を介してレシーバから低圧配管に冷媒をバイパスする場合において、騒音を抑制することが可能となる。
【００２４】
本発明の第６観点に係る冷凍装置では、減圧部及び熱交換部を途中に含むバイパス管を介してレシーバから低圧配管に冷媒をバイパスする場合において、騒音を抑制することが可能となる。
【００２５】
本発明の第７観点に係る冷凍装置では、吐出配管を流れる高圧冷媒を低圧配管にバイパスする場合において、騒音を抑制することが可能となる。
【図面の簡単な説明】
【００２６】
【図１】本発明の一実施形態に係る空調システムの冷媒回路図。
【図２】第１接続部における第１バイパス管と第２配管との接続態様を模式的に示した図。
【図３】第２接続部における第２バイパス管と第４配管との接続態様を模式的に示した図。
【図４】変形例１Ｅに係る空調システムの冷媒回路図。
【図５】変形例１Ｅに係る空調システムにおいて、第３接続部における第３バイパス管と第７配管との接続態様を模式的に示した図。
【図６】変形例１Ｇに係る第１接続部における第１バイパス管と第２配管との接続態様を模式的に示した図。
【図７】変形例１Ｈに係る第１接続部における第１バイパス管と第２配管との接続態様を模式的に示した図。
【図８】変形例１Ｋに係る第１接続部における第１バイパス管と第２配管との接続態様を模式的に示した図。
【発明を実施するための形態】
【００２７】
以下、図面を参照しながら、本発明の本実施形態に係る空調システム１００について説明する。なお、以下の実施形態は、本発明の具体例であって、本発明の技術的範囲を限定するものではなく、発明の要旨を逸脱しない範囲で適宜変更が可能である。また、以下の説明において、上、下、左、右といった方向を示す語句を用いているが、これらの方向は、特にことわりのない限り、図２、図３及び図５から図８に示す方向を意味する。
【００２８】
（１）空調システム１００
図１は、本発明の一実施形態に係る空調システム１００の冷媒回路図である。空調システム１００は、冷媒配管方式の分散型の空調システムであって、蒸気圧縮式の冷凍サイクル運転を行うことにより、建物内の各室の冷房又は暖房を行う。
【００２９】
空調システム１００は、利用ユニットとしての複数の室内ユニット１１０と、熱源ユニットとしての室外ユニット１２０と、を備えている。また、空調システム１００は、室内ユニット１１０と室外ユニット１２０とを接続する冷媒連絡管として、ガス冷媒連絡管ＧＰ及び液冷媒連絡管ＬＰを備えている。
【００３０】
空調システム１００の冷媒回路は、図１に示すように、各室内ユニット１１０と、室外ユニット１２０と、ガス冷媒連絡管ＧＰ及び液冷媒連絡管ＬＰと、が接続されることによって構成されている。空調システム１００では、冷媒回路内に封入された冷媒が、圧縮され、冷却又は凝縮され、減圧され、加熱又は蒸発された後に、再び圧縮される、という冷凍サイクル運転が行われるようになっている。空調システム１００で使用される冷媒としては、特に限定はされないが、例えばＲ３２が採用される。また、空調システム１００で使用される冷凍機油としては、特に限定はされないが、例えばエーテル系合成油が用いられる。
【００３１】
（２）空調システム１００の詳細構成
（２−１）室内ユニット１１０
空調システム１００は、複数の室内ユニット１１０を備えている。各室内ユニット１１０は、例えば各室の天井や側壁等に固定されて設置される。各室内ユニット１１０内には、利用側冷媒回路ＲＣ１が構成されている。各利用側冷媒回路ＲＣ１には、主として、室内膨張弁１１１と、室内熱交換器１１２と、が配設されている。また、各室内ユニット１１０内には、室内ファン１１３や図示しない室内制御部等が配設されている。
【００３２】
室内膨張弁１１１は、冷媒を減圧するための膨張機構であり、開度調整が可能な電動弁である。室内膨張弁１１１は、その一端が液冷媒連絡管ＬＰに接続され、その他端が室内熱交換器１１２に接続されている。なお、暖房運転時には、室内膨張弁１１１は全開とされる。
【００３３】
室内熱交換器１１２は、例えばクロスフィン方式のフィン・アンド・チューブ型熱交換器である。室内熱交換器１１２は、室内ファン１１３によって生成される空気流と熱交換することで、冷房運転時には冷媒の蒸発器として機能し、暖房運転時には冷媒の凝縮器又は放熱器として機能する。室内熱交換器１１２は、その一端が室内膨張弁１１１に接続され、その他端がガス冷媒連絡管ＧＰに接続されている。
【００３４】
室内ファン１１３は、例えばクロスフローファンやシロッコファンなどの送風機である。室内ファン１１３は、図示しない室内ファン用モータによって駆動される。室内ファン１１３が駆動すると、室内ユニット１１０内に流入し室内熱交換器１１２を通過して室内に流出する空気流が生成される。
【００３５】
室内制御部は、ＣＰＵやメモリ等から構成されるマイクロコンピュータである。室内制御部は、室内ユニット１１０内に配設される各部の動作を制御する。また、室内制御部は、通信機能を備えており、各室内ユニット１１０を個別に操作するためのリモコン（図示省略）との間で制御信号の送受信を行う。また、室内制御部は、室外ユニット１２０に設けられた室外制御部（後述）と、伝送線（図示省略）を介して接続されており、制御信号等の送受信を行う。
【００３６】
（２−２）室外ユニット１２０
室外ユニット１２０は、例えば建物の屋上やベランダなどの屋外や、地下室などに設置される。室外ユニット１２０内では、各種の機器が配設され、これらの機器が冷媒配管を介して接続されることで、熱源側冷媒回路ＲＣ２が構成されている。熱源側冷媒回路ＲＣ２は、ガス冷媒連絡管ＧＰ及び液冷媒連絡管ＬＰを介して、各利用側冷媒回路ＲＣ１と接続されている。
【００３７】
熱源側冷媒回路ＲＣ２には、主として、液側閉鎖弁１２１と、ガス側閉鎖弁１２２と、四路切換弁１２３と、アキュームレータ１２４と、気液分離器１２５と、圧縮機１２６と、室外熱交換器１２７と、室外膨張弁１２９と、ブリッジ回路１３０と、レシーバ１３５と、第１バイパス弁１３６と、過冷却熱交換器１３７と、第２バイパス弁１３８と、が配設されている。また、室外ユニット１２０内には、室外ファン１２８や図示しない室外制御部等が配設されている。
【００３８】
（２−２−１）冷媒配管Ｐ１〜Ｐ１８
冷媒配管は、例えば銅製の配管である。冷媒配管は、直線的に延びる直線部やＵ字状やＬ字状などに湾曲する湾曲部分等を含んでいる。冷媒配管は、主として、第１配管Ｐ１から第１８配管Ｐ１８で構成される。
【００３９】
具体的に、第１配管Ｐ１は、一端をガス側閉鎖弁１２２に接続され、他端を四路切換弁１２３に接続されている。第２配管Ｐ２は、一端を四路切換弁１２３に接続され、他端をアキュームレータ１２４の冷媒流入口に接続されている。第３配管Ｐ３は、一端をアキュームレータ１２４の冷媒流出口に接続され、他端を気液分離器１２５の冷媒流入口に接続されている。第４配管Ｐ４は、一端を気液分離機１２５の冷媒流出口に接続され、他端を圧縮機１２６の吸入口に接続されている。第５配管Ｐ５は、一端を圧縮機１２６の吐出口に接続され、他端を四路切換弁１２３に接続されている。第６配管Ｐ６は、一端を四路切換弁１２３に接続され、他端を室外熱交換器１２７に接続されている。
【００４０】
第７配管Ｐ７は、一端を室外熱交換器１２７に接続され、他端を室外膨張弁１２９に接続されている。第８配管Ｐ８は、一端を室外膨張弁１２９に接続され、他端をブリッジ回路１３０に接続されている。第９配管Ｐ９は、一端をブリッジ回路１３０に接続され、他端をレシーバ１３５の冷媒流入口に接続されている。第１０配管Ｐ１０は、一端をレシーバ１３５のガス排出口に接続され、他端を第１バイパス弁１３６に接続されている。第１１配管Ｐ１１は、一端を第１バイパス弁１３６に接続され、他端を第２配管Ｐ２に接続されている。
【００４１】
なお、以下の説明においては、第１０配管Ｐ１０と第１１配管Ｐ１１とを併せて第１バイパス管ＢＰ１と称する。また、第１１配管Ｐ１１（換言すると第１バイパス管ＢＰ１）が第２配管Ｐ２に接続される態様については、後述の「（４−１）第１接続部ＣＰ１」において説明する。
【００４２】
第１２配管Ｐ１２は、一端をレシーバ１３５の冷媒出口に接続され、他端が二つに分岐して第１３配管Ｐ１３及び第１４配管Ｐ１４に接続されている。第１３配管Ｐ１３は、一端を第１２配管Ｐ１２に接続され、他端を過冷却熱交換器１３７に接続されている。第１４配管Ｐ１４は、一端を第１２配管Ｐ１２に接続され、他端を第２バイパス弁１３８に接続されている。第１５配管Ｐ１５は、一端を過冷却熱交換器１３７に接続され、他端をブリッジ回路１３０に接続されている。第１６配管Ｐ１６は、一端を第２バイパス弁１３８に接続され、他端を過冷却熱交換器１３７に接続されている。第１７配管Ｐ１７は、一端を過冷却熱交換器１３７に接続され、他端を第４配管Ｐ４に接続されている。第１８配管Ｐ１８は、一端をブリッジ回路１３０に接続され、他端を液側閉鎖弁１２１に接続されている。
【００４３】
なお、以下の説明においては、第１２配管Ｐ１２、第１４配管Ｐ１４、第１６配管Ｐ１６及び第１７配管Ｐ１７を併せて第２バイパス管ＢＰ２と称する。また、第１７配管Ｐ１７（換言すると第２バイパス管ＢＰ２）が第４配管Ｐ４に接続される態様については、後述の「（４−２）第２接続部ＣＰ２」において説明する。
【００４４】
（２−２−２）液側閉鎖弁１２１、ガス側閉鎖弁１２２
液側閉鎖弁１２１及びガス側閉鎖弁１２２は、ポンプダウン等の際に閉じられる手動の弁である。液側閉鎖弁１２１は、一端を液冷媒連絡配管ＬＰに接続され、他端を第１８配管Ｐ１８に接続されている。ガス側閉鎖弁１２２は、一端をガス冷媒連絡配管ＧＰに接続され、他端を第１配管Ｐ１に接続されている。
【００４５】
（２−２−３）四路切換弁１２３
四路切換弁１２３は、冷媒回路において冷媒の流れる方向を切り換えるための機構である。本実施形態において、四路切換弁１２３は、第１配管Ｐ１、第２配管Ｐ２、第５配管Ｐ５及び第６配管Ｐ６に接続された四方弁である。
【００４６】
空調システム１００では、冷房運転時に、室内熱交換器１１２が冷媒の蒸発器として機能し、かつ、室外熱交換器１２７が冷媒の凝縮器又は放熱器として機能する。室内熱交換器１１２及び室外熱交換器１２７をこのように機能させるため、四路切換弁１２３は、冷房運転時には、第１配管Ｐ１と第２配管Ｐ２とを接続するとともに、第５配管Ｐ５と第６配管Ｐ６とを接続する（図１の四路切換弁１２３の実線を参照）。
【００４７】
また、空調システム１００では、暖房運転時に、室内熱交換器１１２が冷媒の凝縮器又は放熱器として機能し、かつ、室外熱交換器１２７が冷媒の蒸発器として機能する。室内熱交換器１１２及び室外熱交換器１２７をこのように機能させるため、四路切換弁１２３は、暖房運転時には、第１配管Ｐ１と第５配管Ｐ５とを接続するとともに、第２配管Ｐ２と第６配管Ｐ６とを接続する（図１の四路切換弁１２３の破線を参照）。
【００４８】
（２−２−４）アキュームレータ１２４
アキュームレータ１２４は、圧縮機１２６に吸入される低圧冷媒を一時的に貯留し気液分離するための容器である。アキュームレータ１２４の内部では、液冷媒が内部空間の下方部分に貯留されるとともにガス冷媒が内部空間の上方部分に貯留されることによって、気液二相状態の冷媒がガス冷媒と液冷媒とに分離される。アキュームレータ１２４は、四路切換弁１２３の下流側において圧縮機１２６の上流側に配置されている。
【００４９】
アキュームレータ１２４の冷媒流入口には、第２配管Ｐ２が接続されている。そして、アキュームレータ１２４には、第２配管Ｐ２を介して低圧冷媒が流入する。すなわち、第２配管Ｐ２は、その内部を低圧冷媒が流れる「低圧配管」に相当する。また、第２配管Ｐ２は、アキュームレータ１２４に冷媒を流入させる「入口配管」に相当する。なお、第２配管Ｐ２内においては、主として、室内熱交換器１１２又は室外熱交換器１２７内において蒸発したガス冷媒が流れる。
【００５０】
アキュームレータ１２４の冷媒流出口には、第３配管Ｐ３が接続されている。冷媒流出口を介してアキュームレータ１２４から流出する冷媒は、第３配管Ｐ３内を流れる。
【００５１】
（２−２−５）気液分離機１２５、圧縮機１２６
気液分離器１２５は、圧縮機１２６の外部に付属される容器である。気液分離機１２５の冷媒流入口は、第３配管Ｐ３と接続されている。気液分離機１２５の冷媒流出口は、第４配管Ｐ４と接続されている。気液分離機１２５は、圧縮機１２６内部へ液冷媒が流入することを抑制する機能を担っている。気液分離機１２５は、第３配管Ｐ３を介して流入する低圧冷媒を一時的に貯留する。冷媒流出口を介して気液分離機１２５から流出する冷媒は、第４配管Ｐ４内を流れる。
【００５２】
圧縮機１２６は、圧縮機用モータを内蔵する密閉式の構造を有しており、例えばスクロール方式やロータリ方式などの容積式の圧縮機である。なお、圧縮機１２６は、本実施形態において１台のみであるが、これに限定されず、室内ユニット１１０の接続台数等に応じて、２台以上の圧縮機１２６が並列に接続されていてもよい。
【００５３】
圧縮機１２６の吸入口には、第４配管Ｐ４が接続されている。圧縮機１２６は、第４配管Ｐ４を介して圧縮機１２６内部に低圧冷媒を吸入する。よって、第４配管Ｐ４は、その内部を低圧冷媒が流れる「低圧配管」に相当する。また、第４配管Ｐ４は、圧縮機１２６に低圧冷媒を流入させる「吸入配管」に相当する。なお、第４配管Ｐ４内を流れる低圧冷媒は、主としてガス冷媒である。圧縮機１２６は、吸入した低圧冷媒を圧縮する。
【００５４】
圧縮機１２６は、吐出口を介して、圧縮後の高温高圧のガス冷媒を吐出する。圧縮機１２６の吐出口には、第５配管Ｐ５が接続されており、圧縮機１２６によって吐出された冷媒は、第５配管Ｐ５内を流れる。すなわち、第５配管Ｐ５は、圧縮機１２６によって圧縮された高温高圧のガス冷媒がその内部を流れる「吐出配管」に相当する。
【００５５】
（２−２−６）室外熱交換器１２７、室外ファン１２８
室外熱交換器１２７は、例えばクロスフィン方式のフィン・アンド・チューブ型熱交換器である。室外熱交換器１２７は、室外ファン１２８によって生成される空気流と熱交換することで、冷房運転時には冷媒の凝縮器又は放熱器として機能し、暖房運転時には冷媒の蒸発器として機能する。なお、室外熱交換器１２７の熱源は、室外ファン１２８によって生成される空気流に限定されるものではなく、水などの別の熱媒体であってもよい。室外熱交換器１２７は、その一端を第６配管Ｐ６に接続され、その他端を第７配管Ｐ７に接続されている。
【００５６】
室外ファン１２８は、例えばプロペラファンなどの送風機である。室外ファン１２８は、図示しない室外ファン用モータによって駆動される。室外ファン１２８が駆動すると、室外ユニット１２０内部に流入し室外熱交換器１２７を通過して室外ユニット１２０外へ流出する空気流が生成される。
【００５７】
（２−２−７）室外膨張弁１２９
室外膨張弁１２９は、例えば開度調整が可能な電動弁である。室外膨張弁１２９は、一端を第７配管Ｐ７に接続され、他端を第８配管Ｐ８に接続されている。室外膨張弁１２９は、開度を調整することにより、内部を通過する高圧冷媒を減圧できるように構成されている。なお、冷房運転時においては、室外膨張弁１２９は全開とされる。
【００５８】
（２−２−８）ブリッジ回路１３０
ブリッジ回路１３０は、第８配管Ｐ８、第９配管Ｐ９、第１５配管Ｐ１５及び第１８配管Ｐ１８に接続される冷媒回路である。ブリッジ回路１３０は、第１逆止弁１３１、第２逆止弁１３２、第３逆止弁１３３及び第４逆止弁１３４を有している。
【００５９】
第１逆止弁１３１は、第８配管Ｐ８から第９配管Ｐ９へ向かう冷媒の流れを許容する逆止弁である。第２逆止弁１３２は、第１５配管Ｐ１５から第１８配管Ｐ１８及び第３逆止弁１３３へ向かう冷媒の流れを許容する逆止弁である。第３逆止弁１３３は、第１８配管Ｐ１８から第９配管Ｐ９へ向かう冷媒の流れを許容する逆止弁である。第４逆止弁１３４は、第１５配管Ｐ１５から第８配管Ｐ８及び第１逆止弁１３１へ向かう冷媒の流れを許容する逆止弁である。
【００６０】
このように構成されるブリッジ回路１３０では、冷房運転時において、第８配管Ｐ８及び第１５配管Ｐ１５を介して冷媒が流入するとともに、第９配管Ｐ９及び第１８配管Ｐ１８を介して冷媒が流出する。また、ブリッジ回路１３０では、暖房運転時において、第１５配管Ｐ１５及び第１８配管Ｐ１８を介して冷媒が流入するとともに、第８配管Ｐ８及び第９配管Ｐ９を介して冷媒が流出する。
【００６１】
（２−２−９）レシーバ１３５
レシーバ１３５は、利用側冷媒回路ＲＣ１及び熱源側冷媒回路ＲＣ２における冷媒流量が冷房運転と暖房運転とで異なることに起因して発生する余剰冷媒を、貯留する容器である。レシーバ１３５は、ブリッジ回路１３０の下流側に配設されている。レシーバ１３５の冷媒流入口は、第９配管Ｐ９に接続されている。レシーバ１３５の頂部付近には、図示しないガス抜き口が形成されており、当該ガス抜き口を介して第１０配管Ｐ１０が接続されている。レシーバ１３５の底部付近には、図示しない冷媒出口が形成されており、当該冷媒出口を介して第１２配管Ｐ１２に接続されている。
【００６２】
レシーバ１３５では、冷房運転時及び暖房運転時において、第９配管Ｐ９を介して冷媒が流入する。レシーバ１３５に流入した冷媒は、レシーバ１３５内において貯留され気液分離する。レシーバ１３５において気液分離された冷媒のうち、ガス冷媒は、ガス抜き口及び第１０配管Ｐ１０を介してレシーバ１３５から流出する。すなわち、第１０配管Ｐ１０は、レシーバ１３５のガス抜き管として機能する。また、レシーバ１３５において気液分離された冷媒のうち、液冷媒は、冷媒出口及び第１２配管Ｐ１２を介してレシーバ１３５から流出する。
【００６３】
なお、レシーバ１３５においては、第２配管Ｐ２及び第４配管Ｐ４を流れる低圧冷媒よりも高圧の冷媒が貯留される。すなわち、レシーバ１３５は、第２配管Ｐ２及び第４配管Ｐ４に対して、高圧の冷媒が存在する「高圧部」に相当する。また、第２配管Ｐ２及び第４配管Ｐ４は、レシーバ１３５に対して、低圧の冷媒が流れる配管である「低圧配管」に相当する。
【００６４】
（２−２−１０）第１バイパス弁１３６
第１バイパス弁１３６は、例えば開度調整が可能な電動弁である。第１バイパス弁１３６は、一端を第１０配管Ｐ１０に接続され、他端を第１１配管Ｐ１１に接続されている。第１バイパス弁１３６が開けられると、第１０配管Ｐ１０と第１１配管Ｐ１１とが連通し、レシーバ１３５内から流出したガス冷媒が第２配管Ｐ２へバイパスされる。つまり、第１０配管Ｐ１０及び第１１配管Ｐ１１（すなわち、第１バイパス管ＢＰ１）は、レシーバ１３５と第２配管Ｐ２とをバイパスする「バイパス管」に相当する。すなわち、「高圧部」としてのレシーバ１３５の冷媒が、第１バイパス管ＢＰ１を介して、「低圧配管」としての第２配管Ｐ２にバイパスされる。なお、第１バイパス管ＢＰ１を流れる冷媒は、主としてガス冷媒である。
【００６５】
（２−２−１１）過冷却熱交換器１３７、第２バイパス弁１３８
過冷却熱交換器１３７は、例えば二重管型熱交換器やプレート型熱交換器などの熱交換器である。過冷却熱交換器１３７は、第１流路１３７ａ及び第２流路１３７ｂを有し、第１流路１３７ａを流れる冷媒と第２流路１３７ｂを流れる冷媒とが熱交換しうる構造となっている。
【００６６】
第１流路１３７ａは、入口側において第１３配管Ｐ１３に接続され、出口側において第１５配管Ｐ１５に接続されている。これにより、第１流路１３７ａには、第１２配管Ｐ１２及び第１３配管Ｐ１３を介してレシーバ１３５から流出する冷媒が流入する。また、第１流路１３７ａから流出した冷媒は、第１５配管Ｐ１５を介してブリッジ回路１３０へ流入する。
【００６７】
第２流路１３７ｂは、入口側において第１６配管Ｐ１６に接続され、出口側において第１７配管Ｐ１７に接続されている。これにより、第２流路１３７ｂには、第１６配管Ｐ１６を介して冷媒が流入する。また、第２流路１３７ｂから流出した冷媒は、第１７配管Ｐ１７を介して第４配管Ｐ４へ流入する。
【００６８】
第２バイパス弁１３８は、例えば開度調整が可能な電動弁である。第２バイパス弁１３８は、一端を第１４配管Ｐ１４に接続され、他端を第１６配管Ｐ１６に接続されている。
【００６９】
第２バイパス弁１３８が開けられると、レシーバ１３５内の冷媒が、第１２配管Ｐ１２、第１４配管Ｐ１４及び第１６配管Ｐ１６を経て、過冷却熱交換器１３７の第２流路１３７ｂに流入する。そして、第２流路１３７ｂに流入した冷媒は、第１流路１３７ａを流れる冷媒と熱交換し、第１７配管Ｐ１７を介して第４配管Ｐ４へ流入する。
【００７０】
換言すると、第２バイパス弁１３８が開けられると、レシーバ１３５に貯留した冷媒が第４配管Ｐ４へバイパスされる。つまり、第１２配管Ｐ１２、第１４配管Ｐ１４、第１６配管Ｐ１６及び第１７配管Ｐ１７（すなわち、第２バイパス管ＢＰ２）は、レシーバ１３５と第４配管Ｐ４とをバイパスする「バイパス管」に相当する。すなわち、「高圧部」としてのレシーバ１３５の冷媒が、第２バイパス管ＢＰ２を介して、「低圧配管」としての第４配管Ｐ４にバイパスされる。なお、第２バイパス管ＢＰ２を流れる冷媒は、状況に応じて気液二層状態や液状態ともなりうるが、主としてガス冷媒である。
【００７１】
また、第２バイパス弁１３８は、通過する冷媒を開度に応じて減圧可能である。すなわち、第２バイパス弁１３８は、第２バイパス管ＢＰ２の一端と他端との間に配設され、レシーバ１３５から流出する一部の冷媒を減圧する「減圧部」に相当する。
【００７２】
また、第２バイパス弁１３８によって減圧され第２流路１３７ｂを流れる冷媒は、第１流路１３７ａを流れる冷媒と熱交換する。すなわち、過冷却熱交換器１３７の第２流路１３７ｂは、第２バイパス管ＢＰ２の一端と他端との間に配設され、その内部において、レシーバ１３５から流出して第２バイパス弁１３８によって減圧される冷媒が、レシーバ１３５から流出する他の冷媒と熱交換する「熱交換部」に相当する。
【００７３】
（２−２−１２）室外制御部
室外制御部は、ＣＰＵやメモリ等から構成されるマイクロコンピュータである。室外制御部は、各種のセンサや、室外ユニット１２０に含まれる各部の動作を制御する。室外制御部は、伝送線を介して室内ユニット１１０の室内制御部と接続されており、制御信号等の送受信を行う。
【００７４】
（２−３）ガス冷媒連絡管ＧＰ、液冷媒連絡管ＬＰ
ガス冷媒連絡管ＧＰ及び液冷媒連絡管ＬＰは、例えば銅製の冷媒配管であり、室内ユニット１１０及び室外ユニット１２０を設置場所に設置する際に現地において施工される。ガス冷媒連絡管ＧＰは、各室内熱交換器１１２とガス側閉鎖弁１２２とを接続し、両者間において主としてガス冷媒を連絡する。液冷媒連絡管ＬＰは、室内膨張弁１１１と液側閉鎖弁１２１とを接続し、両者間において主として液冷媒を連絡する。
【００７５】
（３）空調システム１００における冷媒の流れ
次に、本実施形態に係る空調システム１００における冷媒の流れについて、冷房運転時と暖房運転時とに分けて説明する。
【００７６】
（３−１）冷房運転時の冷媒の流れ
冷房運転時には、四路切換弁１２３が図１の実線で示される状態となる。これにより、圧縮機１２６から吐出される冷媒が、第５配管Ｐ５、四路切換弁１２３及び第６配管Ｐ６を経て室外熱交換器１２７に流入する。室外熱交換器１２７に流入した冷媒は、室外ファン１２８が生成する空気流と熱交換して凝縮する。室外熱交換器１２７において凝縮した冷媒は、第７配管Ｐ７、全開状態の室外膨張弁１２９及び第８配管Ｐ８を通過し、ブリッジ回路１３０に流入する。ブリッジ回路１３０に流入した冷媒は、第９配管Ｐ９を通過してレシーバ１３５に流入する。
【００７７】
レシーバ１３５内において気化した冷媒は、第１０配管Ｐ１０、第１バイパス弁１３６及び第１１配管Ｐ１１を介して第２配管Ｐ２へバイパスされる。すなわち、レシーバ１３５に貯留された冷媒の一部は、第１バイパス管ＢＰ１を介して第２配管Ｐ２へバイパスされる。
【００７８】
また、レシーバ１３５内に貯留された冷媒は、第１２配管Ｐ１２を介してレシーバ１３５から流出し、第１２配管Ｐ１２を流れる過程で二手に分岐する。二手に分岐した冷媒のうち一方の冷媒は、第１３配管Ｐ１３を通過して過冷却熱交換器１３７の第１流路１３７ａに流入する。二手に分岐した冷媒のうち他方の冷媒は、第１４配管Ｐ１４を経て第２バイパス弁１３８を通過し、状況に応じて減圧された後、第１６配管Ｐ１６を経て過冷却熱交換器１３７の第２流路１３７ｂに流入する。そして、第１流路１３７ａを流れる冷媒と、第２流路１３７ｂを流れる冷媒と、が過冷却熱交換器１３７内において熱交換する。熱交換した後に第２流路１３７ｂから流出した冷媒は、第１７配管Ｐ１７を介して第４配管Ｐ４へバイパスされる。すなわち、レシーバ１３５内に貯留された冷媒の一部は、第２バイパス管ＢＰ２を介して第４配管Ｐ４へバイパスされる。
【００７９】
熱交換した後に第１流路１３７ａから流出した冷媒は、第１５配管Ｐ１５を介してブリッジ回路１３０へ流入した後、二手に分岐する。二手に分岐した冷媒のうち、一方の冷媒は、第４逆止弁１３４、第１逆止弁１３１及び第９配管Ｐ９を通過してレシーバ１３５に流入する。二手に分岐した冷媒のうち他方の冷媒は、第２逆止弁１３２を通過してからさらに二手に分岐した後、一方は第３逆止弁１３３及び第９配管Ｐ９を経てレシーバ１３５に流入し、他方は第１８配管Ｐ１８を経て液側閉鎖弁１２１を通過する。
【００８０】
液側閉鎖弁１２１を通過した冷媒は、液冷媒連絡管ＬＰを介して、各室内ユニット１１０内の利用側冷媒回路ＲＣ１に流入する。利用側冷媒回路ＲＣ１に流入した冷媒は、室内膨張弁１１１を通過して減圧された後、室内熱交換器１１２に流入する。室内熱交換器１１２に流入した冷媒は、室内ファン１１３が生成する空気流と熱交換して蒸発する。室内熱交換器１１２において蒸発した冷媒は、ガス冷媒連絡管ＧＰを経て熱源側冷媒回路ＲＣ２に流入する。
【００８１】
熱源側冷媒回路ＲＣ２に流入した冷媒は、ガス側閉鎖弁１２２、第１配管Ｐ１及び四路切換弁１２３を経て第２配管Ｐ２に流入する。第２配管Ｐ２に流入した冷媒は、第１接続部ＣＰ１において第１バイパス管ＢＰ１から流出する冷媒と合流した後に、アキュームレータ１２４に流入する。アキュームレータ１２４に流入した冷媒は、第３配管Ｐ３を介してアキュームレータ１２４から流出する。アキュームレータ１２４から流出した冷媒は、第３配管Ｐ３及び気液分離機１２５を経て第４配管Ｐ４に流入する。第４配管Ｐ４に流入した冷媒は、第２接続部ＣＰ２において第２バイパス管ＢＰ２から流出する冷媒と合流した後に、圧縮機１２６に流入する。
【００８２】
（３−２）暖房運転時の冷媒の流れ
暖房運転時には、四路切換弁１２３が図１の破線で示される状態となる。これにより、圧縮機１２６から吐出される冷媒が、第５配管Ｐ５、四路切換弁１２３及び第１配管Ｐ１を経てガス側閉鎖弁１２２を通過する。ガス側閉鎖弁１２２を通過した冷媒は、ガス冷媒連絡管ＧＰを経て、各室内ユニット１１０内の利用側冷媒回路ＲＣ１に流入する。
【００８３】
利用側冷媒回路ＲＣ１に流入した冷媒は、室内熱交換器１１２に流入する。室内熱交換器１１２に流入した冷媒は、室内ファン１１３が生成する空気流と熱交換して凝縮する。室内熱交換器１１２において凝縮した冷媒は、全開状態の室内膨張弁１１１を通過した後、液冷媒連絡管ＬＰを経て熱源側冷媒回路ＲＣ２に流入する。
【００８４】
熱源側冷媒回路ＲＣ２に流入した冷媒は、液側閉鎖弁１２１及び第１８配管Ｐ１８を通過してブリッジ回路１３０に流入する。ブリッジ回路１３０に流入した冷媒は、第９配管Ｐ９を経てレシーバ１３５に流入する。
【００８５】
レシーバ１３５において気化した冷媒は、第１０配管Ｐ１０、第１バイパス弁１３６及び第１１配管Ｐ１１を介して第２配管Ｐ２へバイパスされる。すなわち、レシーバ１３５に貯留された冷媒の一部は、第１バイパス管ＢＰ１を介して第２配管Ｐ２へバイパスされる。
【００８６】
また、レシーバ１３５内に貯留された冷媒は、第１２配管Ｐ１２を介してレシーバ１３５から流出し、第１２配管Ｐ１２を流れる過程で二手に分岐する。二手に分岐した冷媒のうち一方の冷媒は、第１３配管Ｐ１３を通過して過冷却熱交換器１３７の第１流路１３７ａに流入する。二手に分岐した冷媒のうち他方の冷媒は、第１４配管Ｐ１４を経て第２バイパス弁１３８を通過し、状況に応じて減圧された後、第１６配管Ｐ１６を経て過冷却熱交換器１３７の第２流路１３７ｂに流入する。そして、第１流路１３７ａを流れる冷媒と、第２流路１３７ｂを流れる冷媒と、が過冷却熱交換器１３７内において熱交換する。熱交換した後に第２流路１３７ｂから流出した冷媒は、第１７配管Ｐ１７を介して第４配管Ｐ４へバイパスされる。すなわち、レシーバ１３５内に貯留された冷媒の一部は、第２バイパス管ＢＰ２を介して第４配管Ｐ４へバイパスされる。
【００８７】
熱交換した後に第１流路１３７ａから流出した冷媒は、第１５配管Ｐ１５を介してブリッジ回路１３０へ流入した後、二手に分岐する。二手に分岐した冷媒のうち、一方の冷媒は、第２逆止弁１３２、第３逆止弁１３３及び第９配管Ｐ９を通過してレシーバ１３５に流入する。二手に分岐した冷媒のうち他方の冷媒は、第４逆止弁１３４を通過してからさらに二手に分岐した後、一方は第１逆止弁１３１及び第９配管Ｐ９を経てレシーバ１３５に流入し、他方は第８配管Ｐ８を経て室外膨張弁１２９を通過する。
【００８８】
室外膨張弁１２９を通過して減圧された低圧冷媒は、第７配管Ｐ７を通過して、室外熱交換器１２７に流入する。室外熱交換器１２７に流入した冷媒は、室外ファン１２８が生成する空気流と熱交換して蒸発する。室外熱交換器１２７において蒸発した冷媒は、第６配管Ｐ６及び四路切換弁１２３を経て第２配管Ｐ２に流入する。第２配管Ｐ２に流入した冷媒は、第１接続部ＣＰ１において第１バイパス管ＢＰ１から流出する冷媒と合流した後に、アキュームレータ１２４に流入する。アキュームレータ１２４に流入した冷媒は、第３配管Ｐ３を介してアキュームレータ１２４から流出する。アキュームレータ１２４から流出する冷媒は、第３配管Ｐ３及び気液分離機１２５を経て第４配管Ｐ４に流入する。第４配管Ｐ４に流入した冷媒は、第２接続部ＣＰ２において第２バイパス管ＢＰ２から流出する冷媒と合流した後に、圧縮機１２６に流入する。
【００８９】
（４）第１接続部ＣＰ１、第２接続部ＣＰ２
空調システム１００は、熱源側冷媒回路ＲＣ２において、第１バイパス管ＢＰ１と第２配管Ｐ２とが接続される第１接続部ＣＰ１と、第２バイパス管ＢＰ２と第４配管Ｐ４とが接続される第２接続部ＣＰ２と、を含んでいる（図１の２点鎖線を参照）。以下、第１接続部ＣＰ１及び第２接続部ＣＰ２について順に説明する。
【００９０】
（４−１）第１接続部ＣＰ１
図２は、第１接続部ＣＰ１における第１バイパス管ＢＰ１と第２配管Ｐ２の接続態様を模式的に示した図である。
【００９１】
第２配管Ｐ２には、第１バイパス管ＢＰ１の第２配管側端部２２（後述）を接続されるための接続口Ｃｈ１が形成されている。図２において、第２配管Ｐ２は、第１直管部１１と、第２直管部１２と、湾曲部１３と、を有しており、略Ｕ字型の形状を呈している。
【００９２】
第１直管部１１は、接続口Ｃｈ１よりも冷媒流れの上流部分において、上下方向に沿って延びている。第２直管部１２は、接続口Ｃｈ１よりも冷媒流れの下流部分において、第１直管部１１と略平行に延びている。湾曲部１３は、下方向に凸に湾曲して、第１直管部１１と第２直管部１２とを連結している。より詳細には、湾曲部１３は、右下方向に膨らむように湾曲する第１湾曲部１３ａと、下方向に膨らむように湾曲する第２湾曲部１３ｂと、左下方向に膨らむように湾曲する第３湾曲部１３ｃと、を有している。なお、第１直管部１１、第２直管部１２及び湾曲部１３は、その内部において連通している。また、接続口Ｃｈ１は、湾曲部１３に形成され、より詳細には、第１湾曲部１３ａから第２湾曲部１３ｂにかかる部分において形成されている。
【００９３】
第２配管Ｐ２の内部では、四路切換弁１２３を通過した冷媒が、管の内壁に沿って流れている（図２の１点鎖線を参照）。特に、第１接続部ＣＰ１における第２配管Ｐ２の内部では、冷媒が、第１直管部１１、湾曲部１３及び第２直管部１２を順に経ることで、流れる方向を転換しながら、アキュームレータ１２４に向かって流れている。
【００９４】
具体的には、第１直管部１１の内部では、主として上から下に向かって冷媒が流れている。第２直管部１２の内部では、主として下から上に向かって冷媒が流れている。湾曲部１３の内部では、冷媒は、まず第１湾曲部１３ａにおいて、主として上から下に向かって流れながら徐々に右から左に向かうように、流れる方向を転換している。次に、冷媒は、第２湾曲部１３ｂにおいて、主として右から左に向かって流れている。やがて、冷媒は、第３湾曲部１３ｃにおいて、主として右から左に向かって流れながら徐々に下から上に向かうように、流れる方向を転換している。
【００９５】
以上をまとめると、第１直管部１１の内部において冷媒が流れる主たる方向である第１方向Ｄｉ１は、上から下に向かう方向（すなわち、下方向）である。また、湾曲部１３の第２湾曲部１３ｂの内部において冷媒が流れる主たる方向である第２方向Ｄｉ２は、右から左に向かう方向（すなわち、左方向）である。また、第２直管部１２の内部において冷媒が流れる主たる方向である第３方向Ｄｉ３は、下から上に向かう方向（すなわち、上方向）である。また、第１直管部１１は、第１方向Ｄｉ１に向かって延びている、といえる。また、第２直管部１２は、第１方向Ｄｉ１とは逆方向である第３方向Ｄｉ３に向かって延びている、ともいえる。
【００９６】
第１バイパス管ＢＰ１は、主として、第１０配管Ｐ１０と第１１配管Ｐ１１で構成される冷媒配管である。すなわち、第１バイパス管ＢＰ１は、「高圧部」としてのレシーバ１３５と、「低圧配管」としての第２配管Ｐ２と、をバイパスする「バイパス管」として機能する。
【００９７】
第１バイパス管ＢＰ１は、一方の端部であるレシーバ側端部２１と、他方の端部である第２配管側端部２２と、を含む。レシーバ側端部２１は、レシーバ１３５のガス抜き口に接続される。第２配管側端部２２は、第２配管Ｐ２の接続口Ｃｈ１に接続される。換言すると、第２配管側端部２２は、接続口Ｃｈ１を介して湾曲部１３（より詳細には、第１湾曲部１３ａから第２湾曲部１３ｂにかかる部分）に接続される。
【００９８】
図２において、第１バイパス管ＢＰ１は、直管部２３と、連結湾曲部２４と、第２配管側端部２２と、を有している。直管部２３は、上下方向に沿って延びている。連結湾曲部２４は、右下に膨らむように湾曲しており、直管部２３と、第２配管側端部２２とを連結している。第２配管側端部２２は、左右方向に沿って延びている。すなわち、第２配管側端部２２は、第２方向Ｄｉ２に沿って延びている、といえる。
【００９９】
第２配管側端部２２は、接続口近傍部２５と、接続口挿入部２６と、有している。接続口近傍部２５は、第２配管側端部２２のうち、第２配管Ｐ２内部に挿入されていない部分である。接続口挿入部２６は、接続口Ｃｈ１を介して、第２配管Ｐ２内部に挿入されている部分である。接続口挿入部２６には、端部に冷媒流出口２６１が形成されている。
【０１００】
第１バイパス管ＢＰ１の内部では、レシーバ１３５から流出した冷媒が、管の内壁に沿って流れる方向を転換しながら、第２配管Ｐ２に向かって流れている（図２の１点鎖線を参照）。具体的には、直管部２３の内部では、主として上から下に向かって冷媒が流れている。連結湾曲部２４の内部では、冷媒は、主として上から下に向かって流れながら徐々に右から左に向かうように流れる方向を転換している。第２配管側端部２２の内部では、主として右から左に向かって冷媒が流れ、接続口近傍部２５を経て接続口挿入部２６に到達した冷媒は、冷媒流出口２６１から流出する。
【０１０１】
以上をまとめると、直管部２３内部において冷媒が流れる主たる方向である第４方向Ｄｉ４は、上から下に向かう方向（すなわち、下方向）である。よって、第４方向Ｄｉ４は、第１方向Ｄｉ１と同一である。また、第２配管側端部２２の内部において冷媒が流れる主たる方向及び冷媒流出口２６１から冷媒が流出する主たる方向である第５方向Ｄｉ５は、右から左に向かう方向（すなわち、左方向）である。よって、第５方向Ｄｉ５は、第２方向Ｄｉ２と同一である。
【０１０２】
第２配管Ｐ２を流れる冷媒と、第１バイパス管ＢＰ１から流出した冷媒と、は第２配管Ｐ２の湾曲部１３の内部において合流する。なお、以下の説明では、第２配管Ｐ２を流れる冷媒と、第１バイパス管ＢＰ１から流出した冷媒と、が合流する地点を合流点Ｊ１と称する（図２の２点鎖線参照）。
【０１０３】
具体的に、合流点Ｊ１は、湾曲部１３の第２湾曲部１３ｂに位置する。すなわち、合流点Ｊ１において、第２配管Ｐ２の内部を流れる冷媒は、主として第２方向Ｄｉ２（換言すると第５方向Ｄｉ５）に向かって流れる。また、合流点Ｊ１において、第１バイパス管ＢＰ１の冷媒流出口２６１から流出した冷媒は、主として第５方向Ｄｉ５（換言すると第２方向Ｄｉ２）に向かって流れる。よって、合流点Ｊ１において、第２配管Ｐ２を流れる冷媒が流れる主たる方向と、第１バイパス管ＢＰ１から流出した冷媒が流れる主たる方向と、は同一である。
【０１０４】
これにより、合流点Ｊ１において、第２配管Ｐ２を流れる冷媒が流れる主たる方向と、第１バイパス管ＢＰ１から流出した冷媒が流れる主たる方向と、が異なる場合と比較して、第２配管Ｐ２を流れる冷媒と、第１バイパス管ＢＰ１から流出した冷媒と、が合流する際における衝突による衝撃が緩和されている。したがって、本実施形態では、第１接続部ＣＰ１において発生する騒音が抑制されるようになっている。
【０１０５】
すなわち、上述のように、第２配管Ｐ２及び第１バイパス管ＢＰ１は、その内部において、主としてガス冷媒が流れる。よって、その内部を液冷媒が主として流れる冷媒配管と比較して、第２配管Ｐ２及び第１バイパス管ＢＰ１内を流れる冷媒の流速は速い。このように流速の速い各冷媒が合流する際に、合流点Ｊ１において、第２配管Ｐ２を流れる冷媒が流れる主たる方向と、第１バイパス管ＢＰ１から流出した冷媒が流れる主たる方向と、が異なると、各冷媒が合流する時における衝突による衝撃が大きいため、騒音が発生しやすい。
【０１０６】
これに対して、本実施形態では、第２配管Ｐ２に接続される第１バイパス管ＢＰ１の第２配管側端部２２が、第２配管Ｐ２の第２湾曲部１３ｂ内部において冷媒が流れる主たる方向である第２方向Ｄｉ２に沿って延びていることにより、合流点Ｊ１において、第２配管Ｐ２を流れる冷媒が流れる主たる方向と、第１バイパス管ＢＰ１から流出した冷媒が流れる主たる方向と、が同一となっている。したがって、本実施形態では、合流点Ｊ１において、第２配管Ｐ２を流れる冷媒が流れる主たる方向と、第１バイパス管ＢＰ１から流出した冷媒が流れる主たる方向と、が異なる場合と比較して、各冷媒が合流する際における衝突による衝撃が緩和されており、第１接続部ＣＰ１において発生する騒音が抑制されるようになっている。
【０１０７】
（４−２）第２接続部ＣＰ２
図３は、第２接続部ＣＰ２における第２バイパス管ＢＰ２と第４配管Ｐ４の接続態様を模式的に示した図である。
【０１０８】
第４配管Ｐ４には、第２バイパス管ＢＰ２の第４配管側端部４２（後述）を接続されるための接続口Ｃｈ２が形成されている。図３において、第４配管Ｐ４は、第１直管部３１と、第２直管部３２と、湾曲部３３と、を有しており、略Ｌ字型の形状を呈している。
【０１０９】
第１直管部３１は、接続口Ｃｈ２よりも冷媒流れの上流部分において、上下方向に沿って延びている。第２直管部３２は、接続口Ｃｈ２よりも冷媒流れの下流部分において、左右方向に沿って延びている。換言すると、第２直管部３２は、第１直管部３１が延びる方向と交差する方向に沿って延びている。湾曲部３３は、左下に膨らむように湾曲して、第１直管部３１と第２直管部３２とを連結している。より詳細には、湾曲部３３は、上下方向に沿って延びる第１湾曲部３３ａと、左右方向に沿って延びる第２湾曲部３３ｂと、を有している。
【０１１０】
なお、第１直管部３１、第２直管部３２及び湾曲部３３は、その内部において連通している。また、接続口Ｃｈ２は、湾曲部３３に形成され、より詳細には、第１湾曲部３３ａから第２湾曲部３３ｂにかかる部分において形成されている。
【０１１１】
第４配管Ｐ４の内部では、気液分離機１２５から流出した低圧冷媒が、管の内壁に沿って流れている（図３の１点鎖線を参照）。特に、第２接続部ＣＰ２における第４配管Ｐ４の内部では、冷媒が、第１直管部３１、湾曲部３３及び第２直管部３２を順に経ることで、流れる方向を転換しながら、圧縮機１２６に向かって流れている。
【０１１２】
具体的には、第１直管部３１の内部では、主として上から下に向かって冷媒が流れている。第２直管部３２の内部では、主として左から右に向かって冷媒が流れている。湾曲部３３の内部では、冷媒は、まず第１湾曲部３３ａにおいて、主として上から下に向かって流れながら徐々に左から右に向かうように、流れる方向を転換している。次に、冷媒は、第２湾曲部３３ｂにおいて、主として左から右に向かって流れている。
【０１１３】
以上をまとめると、第１直管部３１の内部において冷媒が流れる主たる方向である第６方向Ｄｉ６は、上から下に向かう方向（すなわち、下方向）である。また、湾曲部３３の第２湾曲部３３ｂの内部において冷媒が流れる主たる方向である第７方向Ｄｉ７は、左から右に向かう方向（すなわち、右方向）である。また、第２直管部３２の内部において冷媒が流れる主たる方向である第８方向Ｄｉ８は、左から右に向かう方向（すなわち、右方向）である。また、第１直管部３１は、第６方向Ｄｉ６に向かって延びている、といえる。また、第２直管部３２は、第６方向Ｄｉ６と交差する方向である第８方向Ｄｉ８に向かって延びている、ともいえる。
【０１１４】
第２バイパス管ＢＰ２は、主として、第１２配管Ｐ１２、第１４配管Ｐ１４、第１６配管Ｐ１６及び第１７配管Ｐ１７で構成される冷媒配管である。すなわち、第２バイパス管ＢＰ２は、「高圧部」としてのレシーバ１３５と、「低圧配管」としての第４配管Ｐ４と、をバイパスする「バイパス管」として機能する。
【０１１５】
第２バイパス管ＢＰ２は、一方の端部であるレシーバ側端部４１と、他方の端部である第４配管側端部４２と、を含む。レシーバ側端部４１は、レシーバ１３５の冷媒出口に接続される。第４配管側端部４２は、第４配管Ｐ４の接続口Ｃｈ２に接続される。換言すると、第４配管側端部４２は、接続口Ｃｈ２を介して湾曲部３３（より詳細には、第１湾曲部３３ａから第２湾曲部３３ｂにかかる部分）に接続される。
【０１１６】
図３において、第２バイパス管ＢＰ２は、直管部４３と、連結湾曲部４４と、第４配管側端部４２と、を有している。直管部４３は、上下方向に沿って延びている。連結湾曲部４４は、左下に膨らむように湾曲しており、直管部４３と第４配管側端部４２とを連結している。第４配管側端部４２は、左右方向に沿って延びている。すなわち、第４配管側端部４２は、第７方向Ｄｉ７に沿って延びている、といえる。
【０１１７】
第４配管側端部４２は、接続口近傍部４５と、接続口挿入部４６と、有している。接続口近傍部４５は、第４配管側端部４２のうち、第４配管Ｐ４内部に挿入されていない部分である。接続口挿入部４６は、接続口Ｃｈ２を介して、第４配管Ｐ４内部に挿入されている部分である。接続口挿入部４６には、端部に冷媒流出口４６１が形成されている。
【０１１８】
第２バイパス管ＢＰ２の内部では、レシーバ１３５から流出した冷媒が、管の内壁に沿って流れる方向を転換しながら、第４配管Ｐ４に向かって流れている（図３の１点鎖線を参照）。具体的には、直管部４３の内部では、主として上から下に向かって冷媒が流れている。連結湾曲部４４の内部では、冷媒は、主として上から下に向かって流れながら徐々に左から右に向かうように流れる方向を転換している。第４配管側端部４２の内部では、主として左から右に向かって冷媒が流れ、接続口近傍部４５を経て接続口挿入部４６に到達した冷媒は、冷媒流出口４６１から流出する。
【０１１９】
以上をまとめると、直管部４３内部において冷媒が流れる主たる方向である第９方向Ｄｉ９は、上から下に向かう方向（すなわち、下方向）である。よって、第９方向Ｄｉ９は、第６方向Ｄｉ６と同一である。また、第４配管側端部４２の内部において冷媒が流れる主たる方向及び冷媒流出口４６１から冷媒が流出する主たる方向である第１０方向Ｄｉ１０は、左から右に向かう方向（すなわち、右方向）である。よって、第１０方向Ｄｉ１０は、第７方向Ｄｉ７と同一である。
【０１２０】
第４配管Ｐ４を流れる冷媒と、第２バイパス管ＢＰ２から流出した冷媒と、は第４配管Ｐ４の湾曲部３３の内部において合流する。なお、以下の説明では、第４配管Ｐ４を流れる冷媒と、第２バイパス管ＢＰ２から流出した冷媒と、が合流する地点を合流点Ｊ２と称する（図３の２点鎖線参照）。
【０１２１】
具体的に、合流点Ｊ２は、湾曲部３３の第２湾曲部３３ｂに位置する。すなわち、合流点Ｊ２において、第４配管Ｐ４の内部を流れる冷媒は、主として第７方向Ｄｉ７（換言すると第１０方向Ｄｉ１０）に向かって流れる。また、合流点Ｊ２において、第２バイパス管ＢＰ２の冷媒流出口４６１から流出した冷媒は、主として第１０方向Ｄｉ１０（換言すると第７方向Ｄｉ７）に向かって流れる。よって、合流点Ｊ２において、第４配管Ｐ４を流れる冷媒が流れる主たる方向と、第２バイパス管ＢＰ２から流出した冷媒が流れる主たる方向と、は同一である。
【０１２２】
これにより、合流点Ｊ２において、第４配管Ｐ４を流れる冷媒が流れる主たる方向と、第２バイパス管ＢＰ２から流出した冷媒が流れる主たる方向と、が異なる場合と比較して、第４配管Ｐ４を流れる冷媒と、第２バイパス管ＢＰ２から流出した冷媒と、が合流する際における衝突による衝撃が緩和されている。したがって、本実施形態では、第２接続部ＣＰ２において発生する騒音が抑制されるようになっている。
【０１２３】
すなわち、上述のように第４配管Ｐ４及び第２バイパス管ＢＰ２は、その内部において、主としてガス冷媒が流れる。よって、その内部を液冷媒が主として流れる冷媒配管と比較して、第４配管Ｐ４及び第２バイパス管ＢＰ２内を流れる冷媒の流速は速い。このように流速の速い各冷媒が合流する際に、合流点Ｊ２において、第４配管Ｐ４を流れる冷媒が流れる主たる方向と、第２バイパス管ＢＰ２から流出した冷媒が流れる主たる方向と、が異なると、各冷媒が合流する時における衝突による衝撃が大きいため、騒音が発生しやすい。
【０１２４】
これに対して、本実施形態では、第４配管Ｐ４に接続される第２バイパス管ＢＰ２の第４配管側端部４２が、第４配管Ｐ４の第２湾曲部３３ｂ内部において冷媒が流れる主たる方向である第７方向Ｄｉ７に沿って延びていることにより、合流点Ｊ２において、第４配管Ｐ４を流れる冷媒が流れる主たる方向と、第２バイパス管ＢＰ２から流出した冷媒が流れる主たる方向と、が同一となっている。したがって、本実施形態では、合流点Ｊ２において、第４配管Ｐ４を流れる冷媒が流れる主たる方向と、第２バイパス管ＢＰ２から流出した冷媒が流れる主たる方向と、が異なる場合と比較して、各冷媒が合流する際における衝突による衝撃が緩和されており、第２接続部ＣＰ２において発生する騒音が抑制されるようになっている。
【０１２５】
（５）特徴
（５−１）
上記実施形態では、「低圧配管」としての第２配管Ｐ２に接続される第１バイパス管ＢＰ１の第２配管側端部２２は、第２配管Ｐ２の第２湾曲部１３ｂ内部において冷媒が流れる主たる方向である第２方向Ｄｉ２に沿って延びている。これにより、第１バイパス管ＢＰ１によって、「高圧部」としてのレシーバ１３５に存在する冷媒を「低圧配管」としての第２配管Ｐ２にバイパスする場合に、第２配管Ｐ２内を流れる低圧冷媒と第１バイパス管ＢＰ１から流出する冷媒とが、合流点Ｊ１において同一方向に沿って流れやすいようになっている。よって、合流点Ｊ１において合流する各冷媒がそれぞれ異なる方向に沿って流れる場合と比較して、冷媒が合流する際の衝撃が緩和されるようになっている。したがって、騒音の発生が抑制されている。
【０１２６】
また、上記実施形態では、「低圧配管」としての第４配管Ｐ４に接続される第２バイパス管ＢＰ２の第４配管側端部４２は、第４配管Ｐ４の第２湾曲部３３ｂ内部において冷媒が流れる主たる方向である第７方向Ｄｉ７に沿って延びている。これにより、第２バイパス管ＢＰ２によって、「高圧部」としてのレシーバ１３５に存在する冷媒を「低圧配管」としての第４配管Ｐ４にバイパスする場合に、第４配管Ｐ４内を流れる低圧冷媒と第２バイパス管ＢＰ２から流出する冷媒とが、合流点Ｊ２において同一方向に沿って流れやすいようになっている。よって、合流点Ｊ２において合流する各冷媒がそれぞれ異なる方向に沿って流れる場合と比較して、冷媒が合流する際の衝撃が緩和されるようになっている。したがって、騒音の発生が抑制されている。
【０１２７】
（５−２）
上記実施形態では、「低圧配管」としての第２配管Ｐ２に接続される第１バイパス管ＢＰ１の第２配管側端部２２は、第２配管Ｐ２の湾曲部１３に接続されている。これにより、新たな部材等を用いることなく簡単な構成にして、第２配管Ｐ２内を流れる低圧冷媒と第１バイパス管ＢＰ１から流出する冷媒とが、合流点Ｊ１において同一方向に沿って流れやすくなっている。よって、低コストで騒音を抑制できている。
【０１２８】
また、上記実施形態では、「低圧配管」としての第４配管Ｐ４に接続される第２バイパス管ＢＰ２の第４配管側端部４２は、第４配管Ｐ４の湾曲部３３に接続されている。これにより、新たな部材等を用いることなく簡単な構成にして、第４配管Ｐ４内を流れる低圧冷媒と第２バイパス管ＢＰ２から流出する冷媒とが、合流点Ｊ２において同一方向に沿って流れやすくなっている。よって、低コストで騒音を抑制できている。
【０１２９】
（５−３）
上記実施形態では、「高圧部」としてのレシーバ１３５に存在する冷媒をバイパスされる「低圧配管」は、圧縮機１２６に低圧冷媒を流入させる「吸入配管」として機能する第４配管Ｐ４である。これにより、内部を流れる冷媒の流速が速い第４配管Ｐ４へ冷媒をバイパスする場合であっても騒音を抑制できている。
【０１３０】
（５−４）
上記実施形態では、「高圧部」としてのレシーバ１３５に存在する冷媒をバイパスされる「低圧配管」は、アキュームレータ１２４に低圧冷媒を流入させる「入口配管」として機能する第２配管Ｐ２である。これにより、内部を流れる冷媒の流速が速い第２配管Ｐ２へ冷媒をバイパスする場合であっても騒音を抑制できている。
【０１３１】
（５−５）
上記実施形態では、「低圧配管」としての第２配管Ｐ２及び第４配管Ｐ４にバイパスされる「高圧部」は、レシーバ１３５である。これにより、「高圧部」としてのレシーバ１３５から第１バイパス管ＢＰ１及び第２バイパス管ＢＰ２を介して「低圧配管」としての第２配管Ｐ２及び第４配管Ｐ４に冷媒をバイパスする場合であっても、騒音を抑制できている。すなわち、レシーバ１３５から第２配管Ｐ２及び第４配管Ｐ４に冷媒をバイパスする場合、第１バイパス管ＢＰ１及び第２バイパス管ＢＰ２の内部を流れる冷媒は主としてガス冷媒であってその流速が速いことから、騒音が発生しやすい状況であるにも関わらず、騒音を抑制できている。
【０１３２】
（５−６）
上記実施形態では、第２バイパス管ＢＰ２は、第２バイパス弁１３８と、過冷却熱交換器１３７の第２流路１３７ｂと、をレシーバ側端部４１と第４配管側端部４２との間に含む。第２バイパス弁１３８は、レシーバ１３５から流出する一部の冷媒を減圧する「減圧部」に相当する。また、第２流路１３７ｂは、その内部において、第２バイパス弁１３８によって減圧された冷媒が、レシーバ１３５から流出する他の冷媒と熱交換する「熱交換部」に相当する。これにより、第２バイパス弁１３８及び第２流路１３７ｂを途中に含む第２バイパス管ＢＰ２を介してレシーバ１３５から第４配管Ｐ４に冷媒をバイパスする場合であっても、騒音を抑制できている。すなわち、第２バイパス弁１３８及び第２流路１３７ｂを途中に含む第２バイパス管ＢＰ２を介してレシーバ１３５から第４配管Ｐ４に冷媒をバイパスする場合、第２接続部ＣＰ２において第２バイパス管ＢＰ２の内部を流れる冷媒は主としてガス冷媒であってその流速が速いことから、騒音が発生しやすい状況であるにも関わらず、騒音を抑制できている。
【０１３３】
（６）変形例
（６−１）変形例１Ａ
上記実施形態では、冷凍装置として空調システム１００が採用されたが、これに限定されない。例えば、空調システム１００に代えて、給湯器や除湿機等の他の冷凍装置が採用されてもよい。
【０１３４】
（６−２）変形例１Ｂ
上記実施形態では、空調システム１００は、室内ユニット１１０を複数備えるものであったが、これに限定されず、室内ユニット１１０は１つであってもよい。また、空調システム１００は、室外ユニット１２０を１つ備えるものであったが、これに限定されず、室外ユニット１２０は複数あってもよい。また、空調システム１００は、一の室内ユニット１１０の運転状態（冷房又は暖房等）に対して、他の室内ユニット１１０が異なる運転状態（冷房又は暖房等）をとることが可能ないわゆる冷暖フリー型であってもよい。その場合、室内ユニット１１０毎に冷媒の流入出状態を制御する中間ユニット等が、図１の構成に加えて新たに配設されることとなる。
【０１３５】
（６−３）変形例１Ｃ
上記実施形態では、第１バイパス管ＢＰ１は、第１０配管Ｐ１０及び第１１配管Ｐ１１から構成され、途中に第１バイパス弁１３６を有していたが、これに限定されず、第１バイパス弁１３６及び第１１配管Ｐ１１を削除して第１０配管Ｐ１０のみで構成されてもよい。
【０１３６】
（６−４）変形例１Ｄ
上記実施形態では、熱源側冷媒回路ＲＣ２において、各冷媒の合流点Ｊ１及びＪ２で合流する各冷媒の流れる主たる方向が同一となるように、第１接続部ＣＰ１及び第２接続部ＣＰ２が構成されていた。しかし、これに限定されず、各冷媒の合流点Ｊ１及びＪ２のいずれか一方においては、合流する各冷媒の流れる主たる方向が異なってもよい。
【０１３７】
（６−５）変形例１Ｅ
上記実施形態では、冷凍装置として、図１に示すような空調システム１００が採用されたが、これに限定されない。例えば、冷凍装置として、図４に示すような空調システム１００ａが採用されてもよい。以下、空調システム１００ａについて説明する。なお、空調システム１００と共通する部分については、説明を省略する。
【０１３８】
図４は、空調システム１００ａの冷媒回路図である。空調システム１００ａでは、熱源ユニットとしての室外ユニット１２０ａを備えている。室外ユニット１２０ａの内部では、熱源側冷媒回路ＲＣ３が構成されている。熱源側冷媒回路ＲＣ３は、空調システム１００における熱源側冷媒回路ＲＣ２の構成に加えて、第１９配管Ｐ１９、第２０配管Ｐ２０及びホットガスバイパス弁１４０をさらに有している。
【０１３９】
第１９配管Ｐ１９は、一端を第５配管Ｐ５の途中に接続されており、他端をホットガスバイパス弁１４０に接続されている。第２０配管Ｐ２０は、一端をホットガスバイパス弁１４０に接続されており、他端を第７配管Ｐ７の途中に接続されている。なお、以下の説明においては、第１９配管Ｐ１９と第２０配管Ｐ２０とを併せて、第３バイパス管ＢＰ３と称する。
【０１４０】
ホットガスバイパス弁１４０は、例えば開度調整が可能な電動弁である。ホットガスバイパス弁１４０は、除霜運転時に開けられ、それ以外の時には原則として全閉されている。ホットガスバイパス弁１４０は、一端を第１９配管Ｐ１９に接続され、他端を第２０配管Ｐ２０に接続されている。ホットガスバイパス弁１４０が開けられると、第１９配管Ｐ１９と第２０配管Ｐ２０とが連通し、圧縮機１２６から吐出されて第５配管Ｐ５を流れるガス冷媒の一部が第７配管Ｐ７へバイパスされる。つまり、第１９配管Ｐ１９及び第２０配管Ｐ２０（すなわち、第３バイパス管ＢＰ３）は、第５配管Ｐ５と第７配管Ｐ７とをバイパスする「バイパス管」に相当する。
【０１４１】
ここで、第５配管Ｐ５は高圧冷媒が流れる「吐出配管」であり、第５配管Ｐ５内には高圧冷媒が存在する。また、暖房運転時においては、第７配管Ｐ７内を、室外膨張弁１２９で減圧された低圧冷媒が流れる。つまり、暖房運転時において、第５配管Ｐ５は、第７配管Ｐ７に対して「高圧部」に相当する。また、暖房運転時において、第７配管Ｐ７は、第５配管Ｐ５に対して「低圧配管」に相当する。すなわち、除霜運転時には、「高圧部」としての第５配管Ｐ５を流れる冷媒が、第３バイパス管ＢＰ３を介して、「低圧配管」としての第７配管Ｐ７にバイパスされる。なお、第３バイパス管ＢＰ３を流れる冷媒は、主としてガス冷媒である。
【０１４２】
空調システム１００ａでは、暖房運転中において除霜運転を行うことが可能である。冬場の暖房運転においては、冷媒の蒸発温度が０℃以下になると室外熱交換器１２７に着霜を生じる場合がある。着霜があると室外熱交換器１２７の熱交換効率が低下して消費電力の増加や快適性の低下を招くので、空調システム１００ａは、着霜がある時には除霜運転を行う。
【０１４３】
具体的には、図示しない温度センサ等によって室外熱交換器１２７の流入冷媒温度及び外気温を検出し、室外制御部等がこれに基づいて室外熱交換器１２７の着霜の有無を判断する。そして、着霜ありと判断されたことを契機として除霜運転が実行され、ホットガスバイパス弁１４０が適切な開度で開けられる。これにより、第３バイパス管ＢＰ３が開通し、圧縮機１２６から吐出され第５配管Ｐ５を流れる高温高圧のガス冷媒が、第３バイパス管ＢＰ３を介して第７配管Ｐ７にバイパスされ、室外熱交換器１２７に流入する。そして、室外熱交換器１２７に流入する高温高圧のガス冷媒により、室外熱交換器１２７に付着した霜が除去される。
【０１４４】
空調システム１００ａは、熱源側冷媒回路ＲＣ３において、第１接続部ＣＰ１及び第２接続部ＣＰ２に加えて、第３バイパス管ＢＰ３と第７配管Ｐ７とが接続される第３接続部ＣＰ３を含んでいる（図４の２点鎖線を参照）。図５は、第３接続部ＣＰ３における第３バイパス管ＢＰ３と第７配管Ｐ７の接続態様を模式的に示した図である。
【０１４５】
第７配管Ｐ７には、第３バイパス管ＢＰ３の第７配管側端部６２（後述）を接続されるための接続口Ｃｈ３が形成されている。第７配管Ｐ７は、第１直管部５１と、第２直管部５２と、湾曲部５３と、を有している。
【０１４６】
第１直管部５１は、接続口Ｃｈ３よりも冷媒流れの上流部分において、左右方向に沿って延びている。第２直管部５２は、接続口Ｃｈ３よりも冷媒流れの下流部分において、上下方向に沿って延びている。換言すると、第２直管部５２は、第１直管部５１が延びる方向と交差する方向に沿って延びている。湾曲部５３は、左上に膨らむように湾曲して、第１直管部５１と第２直管部５２とを連結している。より詳細には、湾曲部５３は、左右方向に沿って延びる第１湾曲部５３ａと、上下方向に沿って延びる第２湾曲部５３ｂと、有している。
【０１４７】
なお、第１直管部５１、第２直管部５２及び湾曲部５３は、その内部において連通している。また、接続口Ｃｈ３は、湾曲部５３に形成され、より詳細には、第１湾曲部５３ａから第２湾曲部５３ｂにかかる部分において形成されている。
【０１４８】
除霜運転（暖房運転）時において第７配管Ｐ７の内部では、室外膨張弁１２９を通過した低圧冷媒が、管の内壁に沿って流れている。特に、第３接続部ＣＰ３における第７配管Ｐ７の内部では、冷媒が、第１直管部５１、湾曲部５３及び第２直管部５２を順に経ることで、流れる方向を転換しながら、室外熱交換器１２７に向かって流れている（図５の１点鎖線を参照）。
【０１４９】
具体的には、第１直管部５１の内部では、主として右から左に向かって冷媒が流れている。第２直管部５２の内部では、主として上から下に向かって冷媒が流れている。湾曲部５３の内部では、冷媒は、まず第１湾曲部５３ａにおいて、主として右から左に向かって流れながら徐々に上から下に向かうように、流れる方向を転換している。次に、冷媒は、第２湾曲部５３ｂにおいて、主として上から下に向かって流れている。
【０１５０】
以上をまとめると、第１直管部５１の内部において冷媒が流れる主たる方向である第１１方向Ｄｉ１１は、右から左に向かう方向（すなわち、左方向）である。また、湾曲部５３の第２湾曲部５３ｂの内部において冷媒が流れる主たる方向である第１２方向Ｄｉ１２は、上から下に向かう方向（すなわち、下方向）である。また、第２直管部５２の内部において冷媒が流れる主たる方向である第１３方向Ｄｉ１３は、上から下に向かう方向（すなわち、下方向）である。また、第１直管部５１は、第１１方向Ｄｉ１１に向かって延びている、といえる。また、第２直管部５２は、第１１方向Ｄｉ１１と交差する方向である第１３方向Ｄｉ１３に向かって延びている、ともいえる。
【０１５１】
第３バイパス管ＢＰ３は、主として、第１９配管Ｐ１９及び第２０配管Ｐ２０で構成される冷媒配管である。すなわち、第３バイパス管ＢＰ３は、除霜運転時において、「高圧部」としての第５配管Ｐ５と、「低圧配管」としての第７配管Ｐ７と、をバイパスする「バイパス管」として機能する。
【０１５２】
第３バイパス管ＢＰ３は、一方の端部である第５配管側端部６１と、他方の端部である第７配管側端部６２と、を含む。第５配管側端部６１は、第５配管Ｐ５の途中に接続される。第７配管側端部６２は、第７配管Ｐ７の接続口Ｃｈ３に接続される。換言すると、第７配管側端部６２は、接続口Ｃｈ３を介して湾曲部５３（より詳細には、湾曲部５３の第１湾曲部５３ａから第２湾曲部５３ｂにかかる部分）に接続される。
【０１５３】
図５において、第３バイパス管ＢＰ３は、直管部６３と、連結湾曲部６４と、第７配管側端部６２と、を有している。直管部６３は、左右方向に沿って延びている。連結湾曲部６４は、左上に膨らむように湾曲しており、直管部６３と第７配管側端部６２とを連結している。第７配管側端部６２は、上下方向に沿って延びている。すなわち、第７配管側端部６２は、第１２方向Ｄｉ１２に沿って延びている、といえる。
【０１５４】
第７配管側端部６２は、接続口近傍部６５と、接続口挿入部６６と、有している。接続口近傍部６５は、第７配管側端部６２のうち、第７配管Ｐ７内部に挿入されていない部分である。接続口挿入部６６は、接続口Ｃｈ３を介して、第７配管Ｐ７内部に挿入されている部分である。接続口挿入部６６には、端部に冷媒流出口６６１が形成されている。
【０１５５】
第３バイパス管ＢＰ３内には、第５配管Ｐ５との接続部分から冷媒が流入する。第３バイパス管ＢＰ３内に流入した冷媒は、管の内壁に沿って流れる方向を転換しながら、第７配管Ｐ７に向かって流れている（図５の１点鎖線を参照）。具体的には、直管部６３の内部では、主として右から左に向かって冷媒が流れている。連結湾曲部６４の内部では、冷媒は、主として右から左に向かって流れながら徐々に上から下に向かうように流れる方向を転換している。第７配管側端部６２の内部では、主として上から下に向かって冷媒が流れ、接続口近傍部６５を経て接続口挿入部６６に到達した冷媒は、冷媒流出口６６１から流出する。
【０１５６】
以上をまとめると、直管部６３内部において冷媒が流れる主たる方向である第１４方向Ｄｉ１４は、右から左に向かう方向（すなわち、左方向）である。よって、第１４方向Ｄｉ１４は、第１１方向Ｄｉ１１と同一である。また、第７配管側端部６２の内部において冷媒が流れる主たる方向及び冷媒流出口６６１から冷媒が流出する主たる方向である第１５方向Ｄｉ１５は、上から下に向かう方向（すなわち、下方向）である。よって、第１５方向Ｄｉ１５は、第１２方向Ｄｉ１２と同一である。
【０１５７】
第７配管Ｐ７を流れる冷媒と、第３バイパス管ＢＰ３から流出した冷媒と、は第７配管Ｐ７の湾曲部５３の内部において合流する。なお、以下の説明では、第７配管Ｐ７を流れる冷媒と、第３バイパス管ＢＰ３から流出した冷媒と、が合流する地点を合流点Ｊ３と称する（図５の２点鎖線参照）。
【０１５８】
具体的に、合流点Ｊ３は、湾曲部５３の第２湾曲部５３ｂに位置する。すなわち、合流点Ｊ３において、第７配管Ｐ７の内部を流れる冷媒は、主として第１２方向Ｄｉ１２（換言すると第１５方向Ｄｉ１５）に向かって流れる。また、合流点Ｊ３において、第３バイパス管ＢＰ３の冷媒流出口６６１から流出した冷媒は、主として第１５方向Ｄｉ１５（換言すると第１２方向Ｄｉ１２）に向かって流れる。よって、合流点Ｊ３において、第７配管Ｐ７を流れる冷媒が流れる主たる方向と、第３バイパス管ＢＰ３から流出した冷媒が流れる主たる方向と、は同一である。
【０１５９】
これにより、合流点Ｊ３において、第７配管Ｐ７を流れる冷媒が流れる主たる方向と、第３バイパス管ＢＰ３から流出した冷媒が流れる主たる方向と、が異なる場合と比較して、第７配管Ｐ７を流れる冷媒と、第３バイパス管ＢＰ３から流出した冷媒と、が合流する際における衝突による衝撃が緩和されている。したがって、空調システム１００ａでは、第３接続部ＣＰ３において発生する騒音が抑制されるようになっている。
【０１６０】
すなわち、上述のように、暖房運転時には、第３バイパス管ＢＰ３の内部を主としてガス冷媒が流れる。よって、その内部を液冷媒が主として流れる冷媒配管と比較して、第３バイパス管ＢＰ３内を流れる冷媒の流速は速い。このように流速の速い冷媒が合流する際に、合流点Ｊ３において、第７配管Ｐ７を流れる冷媒が流れる主たる方向と、第３バイパス管ＢＰ３から流出した冷媒が流れる主たる方向と、が異なると、各冷媒が合流する時における衝突による衝撃が大きいため、騒音が発生しやすい。
【０１６１】
これに対して、第３接続部ＣＰ３では、第７配管Ｐ７に接続される第３バイパス管ＢＰ３の第７配管側端部６２が、第７配管Ｐ７の第２湾曲部５３ｂ内部において冷媒が流れる主たる方向である第１２方向Ｄｉ１２に沿って延びていることにより、合流点Ｊ３において、第７配管Ｐ７を流れる冷媒が流れる主たる方向と、第３バイパス管ＢＰ３から流出した冷媒が流れる主たる方向と、が同一となっている。したがって、空調システム１００ａでは、合流点Ｊ３において、第７配管Ｐ７を流れる冷媒が流れる主たる方向と、第３バイパス管ＢＰ３から流出した冷媒が流れる主たる方向と、が異なる場合と比較して、各冷媒が合流する際における衝突による衝撃が緩和されており、第３接続部ＣＰ３において発生する騒音が抑制されるようになっている。
【０１６２】
以上のように、空調システム１００ａでは、「低圧配管」としての第７配管Ｐ７にバイパスされる「高圧部」は、圧縮機１２６から吐出される高圧冷媒が内部を流れる第５配管Ｐ５である。これにより、「高圧部」としての第５配管Ｐ５から第３バイパス管ＢＰ３を介して「低圧配管」としての第７配管Ｐ７に冷媒をバイパスする場合であっても、騒音を抑制できている。すなわち、第５配管Ｐ５から第７配管Ｐ７に冷媒をバイパスする場合、第３バイパス管ＢＰ３の内部を流れる冷媒は主としてガス冷媒であってその流速が速いことから、騒音が発生しやすい状況であるにも関わらず、騒音を抑制できている。
【０１６３】
なお、第３接続部ＣＰ３において、第１１方向Ｄｉ１１及び第１４方向Ｄｉ１４は、左方向であったが、これに限定されず、上下左右いずれの方向でもよい。また、第１２方向Ｄｉ１２、第１３方向Ｄｉ１３及び第１５方向Ｄｉ１５は、下方向であったが、これに限定されず、上下左右いずれの方向でもよい。
【０１６４】
また、第３接続部ＣＰ３は、図５に示すような態様で構成されたが、これに限定されない。第３接続部ＣＰ３は、例えば図２、図３、図６又は図７に示すような態様で構成されてもよい。係る場合、図２、図６及び図７において、アキュームレータ１２４は室外熱交換器１２７に変更され、四路切換弁１２３は室外膨張弁１２９に変更される。また、レシーバ１３５は、第５配管Ｐ５に変更される。また、第２配管Ｐ２は第７配管Ｐ７に変更され、第１バイパス管ＢＰ１は第３バイパス管ＢＰ３に変更される。
【０１６５】
また、図３において、気液分離機１２５は室外膨張弁１２９に変更され、圧縮機１２６は室外熱交換器１２７に変更される。また、レシーバ１３５は、第５配管Ｐ５に変更される。また、第４配管Ｐ４は第７配管Ｐ７に変更され、第２バイパス管ＢＰ２は第３バイパス管ＢＰ３に変更される。
【０１６６】
（６−６）変形例１Ｆ
上記実施形態では、第１接続部ＣＰ１は、図２に示すような態様で構成されたが、これに限定されない。第１接続部ＣＰ１は、例えば図３又は図５に示すような態様で構成されてもよい。係る場合、図３において、気液分離機１２５は四路切換弁１２３に変更され、圧縮機１２６はアキュームレータ１２４に変更される。また、第４配管Ｐ４は第２配管Ｐ２に変更され、第２バイパス管ＢＰ２は第１バイパス管ＢＰ１に変更される。
【０１６７】
また、図５において、室外膨張弁１２９は四路切換弁１２３に変更され、室外熱交換器１２７はアキュームレータ１２４に変更される。また、第５配管Ｐ５は、レシーバ１３５に変更される。また、第７配管Ｐ７は第２配管Ｐ２に変更され、第３バイパス管ＢＰ３は第１バイパス管ＢＰ１に変更される。
【０１６８】
（６−７）変形例１Ｇ
上記実施形態では、第１接続部ＣＰ１は、図２に示すような態様で構成されたが、これに限定されない。第１接続部ＣＰ１は、例えば図６に示す第１接続部ＣＰ１ａのように構成されてもよい。
【０１６９】
図６に示す第１接続部ＣＰ１ａにおいて、第１バイパス管ＢＰ１は、左右に延びる直管部２７をさらに有している。また、第１バイパス管ＢＰ１は、連結湾曲部２４の他に、左下に膨らむように湾曲する連結湾曲部２８をさらに有している。また、第２配管側端部２２は、直管部２７より下流側において、左右ではなく上下に延びている。また、連結湾曲部２４は、直管部２３と直管部２７とを連結している。また、連結湾曲部２８は、直管部２７と第２配管側端部２２とを連結している。また、第２配管Ｐ２において、接続口Ｃｈ１は、第３湾曲部１３ｃに形成されている。これに伴い、合流点Ｊ１は、第３湾曲部１３ｃの内部に位置している。
【０１７０】
第１接続部ＣＰ１ａでは、第２配管Ｐ２に接続される第１バイパス管ＢＰ１の第２配管側端部２２が、第２配管Ｐ２の第３湾曲部１３ｃ内部において冷媒が流れる主たる方向である第３方向Ｄｉ３に沿って延びている。これにより、合流点Ｊ１において、第２配管Ｐ２を流れる冷媒が流れる主たる方向と、第１バイパス管ＢＰ１から流出した冷媒が流れる主たる方向と、が同一となっている。
【０１７１】
（６−８）変形例１Ｈ
上記実施形態では、第１接続部ＣＰ１は、図２に示すような態様で構成されたが、これに限定されない。第１接続部ＣＰ１は、例えば図７に示す第１接続部ＣＰ１ｂのように構成されてもよい。
【０１７２】
図７に示す第１接続部ＣＰ１ｂにおいて、第２配管Ｐ２には、接続口Ｃｈ１の他に接続口Ｃｈ４がさらに形成されている。接続口Ｃｈ４は、第３湾曲部１３ｃに形成されている。また、第１バイパス管ＢＰ１は、直管部７０と、連結湾曲部７１と、直管部７２と、連結湾曲部７３と、をさらに有している。また、第２配管側端部２２は、第２配管側端部２２ａと、第２配管側端部２２ｂと、から構成されている。
【０１７３】
直管部７０は、連結湾曲部２４に接続され、直管部２３より下流側において上下に延びている。連結湾曲部７１は、右下に膨らむように湾曲しており、直管部７０と直管部７２とを連結している。直管部７２は、連結湾曲部７１より下流側において左右に延びている。連結湾曲部７３は、左下に膨らむように湾曲しており、直管部７２と第２配管側端部２２ｂとを連結している。
【０１７４】
第２配管側端部２２ａは、連結湾曲部２４より下流側において左右に延びて、接続口Ｃｈ１を介して第２配管Ｐ２に接続されている。第２配管側端部２２ａは、接続口近傍部２５と、接続口挿入部２６と、を含む。接続口挿入部２６は、接続口Ｃｈ１を介して第２配管Ｐ２内に挿入されている部分である。接続口挿入部２６には、冷媒を流出する冷媒流出口２６１が形成されている。接続口近傍部２５は、第２配管側端部２２ａのうち、接続口挿入部２６を除いた部分である。
【０１７５】
第２配管側端部２２ｂは、連結湾曲部７３より下流側において上下に延びて、接続口Ｃｈ４を介して第２配管Ｐ２に接続されている。第２配管側端部２２ｂは、接続口近傍部７４と、接続口挿入部７５と、を含む。接続口挿入部７５は、接続口Ｃｈ４を介して第２配管Ｐ２内に挿入されている部分である。接続口挿入部７５には、冷媒を流出する冷媒流出口７５１が形成されている。接続口近傍部７４は、第２配管側端部２２ｂのうち、接続口挿入部７５を除いた部分である。
【０１７６】
このように、図７に示す第１接続部ＣＰ１ｂでは、第１バイパス管ＢＰ１が、直管部２３から二手に分岐して、接続口Ｃｈ１及び接続口Ｃｈ４を介し２箇所において第２配管Ｐ２と接続されている。これに伴い、第２配管Ｐ２の内部では、合流点Ｊ１及び合流点Ｊ４という二つの合流点が存在する。具体的に、合流点Ｊ１は、第２湾曲部１３ｂの内部に位置している。また、合流点Ｊ４は、第３湾曲部１３ｃの内部に位置している。
【０１７７】
第１接続部ＣＰ１ｂでは、第２配管Ｐ２に接続される第１バイパス管ＢＰ１の第２配管側端部２２ａが、第２配管Ｐ２の第２湾曲部１３ｂ内部において冷媒が流れる主たる方向である第５方向Ｄｉ５（換言すると第２方向Ｄｉ２）に沿って延びている。これにより、合流点Ｊ１において、第２配管Ｐ２を流れる冷媒が流れる主たる方向と、第１バイパス管ＢＰ１から流出した冷媒が流れる主たる方向と、が同一となっている。また、第２配管Ｐ２に接続される第１バイパス管ＢＰ１の第２配管側端部２２ｂが、第２配管Ｐ２の第３湾曲部１３ｃ内部において冷媒が流れる主たる方向である第３方向Ｄｉ３に沿って延びている。これにより、合流点Ｊ４において、第２配管Ｐ２を流れる冷媒が流れる主たる方向と、第１バイパス管ＢＰ１から流出した冷媒が流れる主たる方向と、が同一となっている。
【０１７８】
以上のように、第１接続部ＣＰ１ｂでは、冷媒の各合流点において第２配管Ｐ２を流れる冷媒が流れる主たる方向と、第１バイパス管ＢＰ１から流出した冷媒が流れる主たる方向と、が同一となっている。また、第１バイパス管ＢＰ１が、直管部２３から二手に分岐して、接続口Ｃｈ１及び接続口Ｃｈ４を介し２箇所において第２配管Ｐ２と接続されている。これにより、冷媒の合流点において第１バイパス管ＢＰ１から流出する冷媒流量が、１箇所において第２配管Ｐ２に接続されている場合と比較して低減する。これにより、第１接続部ＣＰ１による場合と比較して、各冷媒が合流する際における衝突による衝撃がさらに緩和されており、騒音がさらに抑制されるようになっている。
【０１７９】
（６−９）変形例１Ｉ
上記実施形態では、第２接続部ＣＰ２は、図３に示すような態様で構成されたが、これに限定されない。第２接続部ＣＰ２は、例えば図２又は図５から図７に示すような態様で構成されてもよい。係る場合、図２、図６及び図７において、アキュームレータ１２４は圧縮機１２６に変更され、四路切換弁１２３は気液分離機１２５に変更される。また、第２配管Ｐ２は第４配管Ｐ４に変更され、第１バイパス管ＢＰ１は第２バイパス管ＢＰ２に変更される。
【０１８０】
また、図５において、室外膨張弁１２９は気液分離機１２５に変更され、室外熱交換器１２７は圧縮機１２６に変更される。また、第５配管Ｐ５は、レシーバ１３５に変更される。また、第７配管Ｐ７は第４配管Ｐ４に変更され、第３バイパス管ＢＰ３は第２バイパス管ＢＰ２に変更される。
【０１８１】
（６−１０）変形例１Ｊ
上記実施形態では、第１方向Ｄｉ１、第４方向Ｄｉ４、第６方向Ｄｉ６及び第９方向Ｄｉ９は、下方向であったが、これに限定されず、上下左右いずれの方向であってもよい。また、第２方向Ｄｉ２及び第５方向Ｄｉ５は、左方向であったが、これに限定されず、上下左右いずれの方向であってもよい。また、第７方向Ｄｉ７、第８方向Ｄｉ８及び第１０方向Ｄｉ１０は、右方向であったが、これに限定されず、上下左右いずれの方向であってもよい。また、第３方向Ｄｉ３は、上方向であったが、これに限定されず、上下左右いずれの方向であってもよい。
【０１８２】
（６−１１）変形例１Ｋ
上記実施形態では、第１接続部ＣＰ１は、図２に示すような態様で構成された。これに対して、第１接続部ＣＰ１を、図８に示す第１接続部ＣＰ１ｃのように構成する場合について説明する。
【０１８３】
図８に示す第１接続部ＣＰ１ｃにおいて、第２配管Ｐ２には、接続口Ｃｈ１の他に接続口Ｃｈ４がさらに形成されている。接続口Ｃｈ１及び接続口Ｃｈ４は、湾曲部１３ではなく、第１直管部１１に形成されている。また、第１バイパス管ＢＰ１は、直管部７６と、連結湾曲部７７と、をさらに有している。また、第２配管側端部２２は、第２配管側端部２２ｃと、第２配管側端部２２ｄと、から構成されている。
【０１８４】
直管部７６は、連結湾曲部２４に接続され、直管部２３より下流側において上下に延びている。連結湾曲部７７は、右下に膨らむように湾曲しており、直管部７６と第２配管側端部２２ｄとを連結している。
【０１８５】
第２配管側端部２２ｃは、連結湾曲部２４より下流側において左右に延びて、接続口Ｃｈ１を介して第２配管Ｐ２に接続されている。第２配管側端部２２ｃは、接続口近傍部２５と、接続口挿入部２６と、を含む。接続口挿入部２６は、接続口Ｃｈ１を介して第２配管Ｐ２内に挿入されている部分である。接続口挿入部２６には、冷媒を流出する冷媒流出口２６１が形成されている。接続口近傍部２５は、第２配管側端部２２ｃのうち、接続口挿入部２６を除いた部分である。
【０１８６】
第２配管側端部２２ｄは、連結湾曲部７７より下流側において左右に延びて、接続口Ｃｈ４を介して第２配管Ｐ２に接続されている。第２配管側端部２２ｄは、接続口近傍部７８と、接続口挿入部７９と、を含む。接続口挿入部７９は、接続口Ｃｈ４を介して第２配管Ｐ２内に挿入されている部分である。接続口挿入部７９には、冷媒を流出する冷媒流出口７９１が形成されている。接続口近傍部７８は、第２配管側端部２２ｄのうち、接続口挿入部７９を除いた部分である。
【０１８７】
このように、図８に示す第１接続部ＣＰ１ｃでは、第１バイパス管ＢＰ１が、直管部２３から二手に分岐して、接続口Ｃｈ１及び接続口Ｃｈ４を介し２箇所において第２配管Ｐ２と接続されている。これに伴い、第２配管Ｐ２の内部では、合流点Ｊ５及び合流点Ｊ６という二つの合流点が存在する。具体的に、合流点Ｊ５は、第１直管部１１の内部に位置している。また、合流点Ｊ６は、第１直管部１１の内部において合流点Ｊ５よりも下流側に位置している。
【０１８８】
第１接続部ＣＰ１ｃでは、第２配管Ｐ２に接続される第１バイパス管ＢＰ１の第２配管側端部２２ｃ及び２２ｄが、第２配管Ｐ２の第１直管部１１内部において冷媒が流れる主たる方向である第１方向Ｄｉ１に沿って延びていない。これにより、合流点Ｊ５及びＪ６において、第２配管Ｐ２を流れる冷媒が流れる主たる方向と、第１バイパス管ＢＰ１から流出した冷媒が流れる主たる方向と、が異なっている。
【０１８９】
しかし、第１バイパス管ＢＰ１が、直管部２３から二手に分岐して、接続口Ｃｈ１及び接続口Ｃｈ４を介し２箇所において第２配管Ｐ２と接続されている。これにより、合流点において第１バイパス管ＢＰ１から流出する冷媒流量が、１箇所において第２配管Ｐ２に接続されている場合と比較して低減する。これにより、各冷媒が合流する際における衝突による衝撃が緩和されており、騒音が抑制されるようになっている。
【産業上の利用可能性】
【０１９０】
本発明は、バイパス管を備える冷凍装置に利用可能である。
【符号の説明】
【０１９１】
１１、３１、５１    第１直管部（第１部）
１２、３２、５２    第２直管部（第２部）
１３、３３、５３    湾曲部
１３ａ、３３ａ、５３ａ    第１湾曲部
１３ｂ、３３ｂ、５３ｂ    第２湾曲部
１３ｃ              第３湾曲部
２１、４１          レシーバ側端部（第１端部）
２２                第２配管側端部（第２端部）
２３、２７、４３、６３、７０、７２    直管部
２４、２８、４４、６４、７１、７３    連結湾曲部
２５、４５、６５、７４    接続口近傍部
２６、４６、６６、７５    接続口挿入部
２６１、４６１、６６１、７５１    冷媒流出口
４２                第４配管側端部（第２端部）
６１                第５配管側端部（第１端部）
６２                第７配管側端部（第２端部）
１００、１００ａ    空調システム（冷凍装置）
１１０              室内ユニット
１２０、１２０ａ    室外ユニット
１２３              四路切換弁
１２４              アキュームレータ
１２５              気液分離機
１２６              圧縮機
１２７              室外熱交換器
１３０              ブリッジ回路
１３５              レシーバ（高圧部）
１３６              第１バイパス弁
１３７              過冷却熱交換器
１３７ａ            第１流路
１３７ｂ            第２流路（熱交換部）
１３８              第２バイパス弁（減圧部）
１４０              ホットガスバイパス弁
ＢＰ１              第１バイパス管（バイパス管）
ＢＰ２              第２バイパス管（バイパス管）
ＢＰ３              第３バイパス管（バイパス管）
Ｃｈ１、Ｃｈ２、Ｃｈ３、Ｃｈ４    接続口
ＣＰ１、ＣＰ１ａ、ＣＰ１ｂ    第１接続部
ＣＰ２              第２接続部
ＣＰ３              第３接続部
Ｄｉ１              第１方向
Ｄｉ２              第２方向
Ｄｉ３              第３方向
Ｄｉ５              第５方向
Ｄｉ６              第６方向（第１方向）
Ｄｉ７              第７方向
Ｄｉ８              第８方向
Ｄｉ１０            第１０方向
Ｄｉ１１            第１１方向（第１方向）
Ｄｉ１２            第１２方向
Ｄｉ１３            第１３方向
Ｄｉ１５            第１５方向
Ｊ１、Ｊ２、Ｊ３、Ｊ４    合流点
Ｐ２                第２配管（低圧配管、入口配管）
Ｐ４                第４配管（低圧配管、吸入配管）
Ｐ５                第５配管（高圧部、吐出配管）
Ｐ７                第７配管（低圧配管）
ＲＣ１              利用側冷媒回路
ＲＣ２、ＲＣ３      熱源側冷媒回路
【先行技術文献】
【特許文献】
【０１９２】
【特許文献１】特開２０１０−１２７５３１号公報
【図１】
2015055381.tif 000003
【図２】
2015055381.tif 000004
【図３】
2015055381.tif 000005
【図４】
2015055381.tif 000006
【図５】
2015055381.tif 000007
【図６】
2015055381.tif 000008
【図７】
2015055381.tif 000009
【図８】
2015055381.tif 000010